(57)【要約】  本発明は、資源移転方法、装置、プログラム及び記録媒体に関し、コンピュータ技術分野に属する。前記資源移転方法は、移転アカウントを用いて送信した、資源移転を要請するための資源移転要請を受信するステップと、前記移転アカウントとバインディングされたモバイルデバイスにより採集した生理的特徴を受信したか否かを検出するステップと、前記移転アカウントとバインディングされたモバイルデバイスにより採集した生理的特徴を受信したことが検出された場合、前記生理的特徴と保存された前記移転アカウントの生理的特徴モデルとが一致すると、前記資源を移転するステップとを含む。資源を移転する過程にいろんなパスワードを用いて資源移転のセキュリティを保証することを起因とする、資源移転の流れが複雑になる問題を解決することにより、セキュリティを保証したと同時に、資源移転の流れの複雑度を低下させる効果を得た。【選択図】        図２
2017506401.tif 000002
【特許請求の範囲】
【請求項１】
移転アカウントを用いて送信した、資源移転を要請するための資源移転要請を受信するステップと、
前記移転アカウントとバインディングされたモバイルデバイスにより採集した生理的特徴を受信したか否かを検出するステップと、
前記移転アカウントとバインディングされたモバイルデバイスにより採集した生理的特徴を受信したことが検出された場合、前記生理的特徴と保存された前記移転アカウントの生理的特徴モデルとが一致すると、前記資源を移転するステップと
を含むことを特徴とする資源移転方法。
【請求項２】
前記移転アカウントとバインディングされたモバイルデバイスにより採集した生理的特徴を受信したか否かを検出するステップは、
前記資源移転要請が受信された受信タイミングを特定するステップと、
前記受信タイミングが含まれた所定の時間帯内で、前記移転アカウントとバインディングされたモバイルデバイスにより採集した生理的特徴を受信したか否かを検出するステップと
を含むことを特徴とする請求項１に記載の資源移転方法。
【請求項３】
前記移転アカウントにモバイルデバイスをバインディングするための設定命令を受信するステップと、
前記設定命令の中から選定したモバイルデバイスのデバイス識別子と、前記移転アカウントとをバインディングするステップと
をさらに含むことを特徴とする請求項１に記載の資源移転方法。
【請求項４】
前記移転アカウントの生理的特徴モデルが保存されていない場合、受信した前記生理的特徴を用いて、前記移転アカウントの生理的特徴モデルを確立するステップと、
前記移転アカウントの生理的特徴モデルが保存されている場合、前記生理的特徴と前記生理的特徴モデルとが一致すると、受信した前記生理的特徴を用いて、前記移転アカウントの生理的特徴モデルを修正するステップと
をさらに含むことを特徴とする請求項１に記載の資源移転方法。
【請求項５】
前記移転アカウントとバインディングされたモバイルデバイスにより送信した生理的特徴を受信した場合、異常提示条件に合致するか否かを検出するステップと、
前記異常提示条件が存在する場合、前記移転アカウントに異常提示情報を送信するステップと
をさらに含み、
ここで、前記異常提示条件には、取得された前記生理的特徴と一緒に送信したデバイス識別子が、前記移転アカウントにバインディングされた履歴があり、且つ、現在には前記移転アカウントにバインディングされていないこと、或いは、所定の期間内に、前記移転アカウントとバインディングされたモバイルデバイスにより送信する生理的特徴を受信したことがないことが含まれる
ことを特徴とする請求項１に記載の資源移転方法。
【請求項６】
前記資源を移転するステップは、
簡素化された資源移転の流れに従って、前記資源を移転するステップ
を含み、
ここで、前記簡素化された資源移転の流れには、そのまま前記資源を移転する流れ、或いは、前記資源の移転に必要な移転パスワード、検証コード、或いは、受信した動的情報の中の少なくとも一つによる検証を省略して、資源移転を行う流れが含まれる
ことを特徴とする請求項１に記載の資源移転方法。
【請求項７】
前記生理的特徴と、保存された前記移転アカウントの生理的特徴モデルとが一致しない場合、前記資源の移転に必要な移転パスワードによる検証が少なくとも含まれた、デフォルトの資源移転の流れに従って、前記資源を移転するステップを
さらに含むことを特徴とする請求項１乃至６の中のいずれか１項に記載の資源移転方法。
【請求項８】
移転アカウントを用いて送信した、資源移転を要請するための資源移転要請を受信するための第１受信モジュールと、
前記移転アカウントとバインディングされたモバイルデバイスにより採集した生理的特徴を受信したか否かを検出するための第１検出モジュールと、
前記第１検出モジュールにより前記移転アカウントとバインディングされたモバイルデバイスにより採集した生理的特徴を受信したことが検出された場合、前記生理的特徴と保存された前記移転アカウントの生理的特徴モデルとが一致すると、前記資源を移転するための第１移転モジュールと
を備えることを特徴とする資源移転装置。
【請求項９】
前記第１検出モジュールは、
前記資源移転要請が受信された受信タイミングを特定するための特定サブモジュールと、
前記特定サブモジュールにより特定した前記受信タイミングが含まれた所定の時間帯内に,前記移転アカウントとバインディングされたモバイルデバイスにより採集した生理的特徴を受信したか否かを検出するための検出サブモジュールと
を備えることを特徴とする請求項８に記載の資源移転装置。
【請求項１０】
前記移転アカウントにモバイルデバイスをバインディングするための設定命令を受信するための第２受信モジュールと、
前記第２受信モジュールにより受信した前記設定命令の中から選定したモバイルデバイスのデバイス識別子と、前記移転アカウントとをバインディングするためのバインディングモジュールと
をさらに備えることを特徴とする請求項８に記載の資源移転装置。
【請求項１１】
前記移転アカウントの生理的特徴モデルが保存されていない場合、受信した前記生理的特徴を用いて、前記移転アカウントの生理的特徴モデルを確立するための確立モジュールと、
前記移転アカウントの生理的特徴モデルが保存されている場合、前記生理的特徴と前記生理的特徴モデルとが一致すると、受信した前記生理的特徴を用いて、前記移転アカウントの生理的特徴モデルを修正するための修正モジュールと
をさらに備えることを特徴とする請求項８に記載の資源移転装置。
【請求項１２】
前記移転アカウントとバインディングされたモバイルデバイスにより送信した生理的特徴を受信した場合、異常提示条件に合致するか否かを検出するための第２検出モジュールと、
前記第２検出モジュールにより前記異常提示条件が存在することが検出された場合、前記移転アカウントに異常提示情報を送信するための送信モジュールと
をさらに備え、
ここで、前記異常提示条件には、取得された前記生理的特徴と一緒に送信したデバイス識別子が、前記移転アカウントにバインディングされた履歴があり、且つ、現在には前記移転アカウントにバインディングされていないこと、或いは、所定の期間内に、前記移転アカウントとバインディングされたモバイルデバイスにより送信する生理的特徴を受信したことがないことが含まれる
ことを特徴とする請求項８に記載の資源移転装置。
【請求項１３】
前記第１移転モジュールは、
さらに、簡素化された資源移転の流れに従って、前記資源を移転し、
ここで、前記簡素化された資源移転の流れには、そのまま前記資源を移転する流れ、或いは、前記資源の移転に必要な移転パスワード、検証コード、或いは、受信した動的情報の中の少なくとも一つによる検証を省略して、資源移転を行う流れが含まれる
ことを特徴とする請求項８に記載の資源移転装置。
【請求項１４】
前記生理的特徴と、保存された前記移転アカウントの生理的特徴モデルとが一致しない場合、前記資源の移転に必要な移転パスワードによる検証が少なくとも含まれた、デフォルトの資源移転の流れに従って、前記資源を移転するための第２移転モジュール
をさらに備えることを特徴とする請求項８乃至１３の中のいずれか１項に記載の資源移転装置。
【請求項１５】
プロセッサと、
前記プロセッサが実行可能な命令を記憶するためのメモリと
を備え、
前記プロセッサは、
移転アカウントを用いて送信した、資源移転を要請するための資源移転要請を受信し、
前記移転アカウントとバインディングされたモバイルデバイスにより採集した生理的特徴を受信したか否かを検出し、
前記移転アカウントとバインディングされたモバイルデバイスにより採集した生理的特徴を受信したことが検出された場合、前記生理的特徴と保存された前記移転アカウントの生理的特徴モデルとが一致すると、前記資源を移転する
ように構成されることを特徴とする資源移転装置。
【発明の詳細な説明】
【技術分野】
【０００１】
本願は、出願番号がＣＮ２０１４１０８２９４８２.１であって、出願日が２０１４年１２月２７日である中国特許出願に基づいて優先権を主張し、当該中国特許出願のすべての内容を援用する。
【０００２】
本発明は、コンピュータ技術分野に関し、特に、資源移転方法及び装置に関する。
【背景技術】
【０００３】
電子商取引の業界の高速の発展に伴い、人々は、ネットワーク・プラットフォームを通じて行う資源移転等の操作を、ますます、好んでいる。資源移転とは、資源を第１資源ベースから第２資源ベースへ移転する過程を意味する。
【０００４】
資源移転を行う際に、例えば、移転パスワード、ログインパスワード、ＳＭＳ検証コード、等のようないろんなパスワードを用いて、資源移転のセキュリティを保証する。ユーザにより入力したパスワードが正しい時にだけ、移転を要請する資源を移転することができる。
【発明の概要】
【発明が解決しようとする課題】
【０００５】
本発明は、資源移転方法及び装置を提供する。その構成は以下のとおりである。
【課題を解決するための手段】
【０００６】
本発明の実施例に係る第１の態様によると、資源移転方法を提供する。
【０００７】
前記方法は、
移転アカウントを用いて送信した、資源移転を要請するための資源移転要請を受信するステップと、
前記移転アカウントとバインディングされたモバイルデバイスにより採集した生理的特徴を受信したか否かを検出するステップと、
前記移転アカウントとバインディングされたモバイルデバイスにより採集した生理的特徴を受信したことが検出された場合、前記生理的特徴と保存された前記移転アカウントの生理的特徴モデルとが一致すると、前記資源を移転するステップと
を含む。
【０００８】
オプションとして、
前記移転アカウントとバインディングされたモバイルデバイスにより採集した生理的特徴を受信したか否かを検出するステップは、
前記資源移転要請が受信された受信タイミングを特定するステップと、
前記受信タイミングが含まれた所定の時間帯内で、前記移転アカウントとバインディングされたモバイルデバイスにより採集した生理的特徴を受信したか否かを検出するステップと
を含む。
【０００９】
オプションとして、
前記方法は、
前記移転アカウントにモバイルデバイスをバインディングするための設定命令を受信するステップと、
前記設定命令の中から選定したモバイルデバイスのデバイス識別子と、前記移転アカウントとをバインディングするステップと
をさらに含む
【００１０】
オプションとして、
前記方法は、
前記移転アカウントの生理的特徴モデルが保存されていない場合、受信した前記生理的特徴を用いて、前記移転アカウントの生理的特徴モデルを確立するステップと、
前記移転アカウントの生理的特徴モデルが保存されている場合、前記生理的特徴と前記生理的特徴モデルとが一致すると、受信した前記生理的特徴を用いて、前記移転アカウントの生理的特徴モデルを修正するステップと
をさらに含む。
【００１１】
オプションとして、
前記方法は、
前記移転アカウントとバインディングされたモバイルデバイスにより送信した生理的特徴を受信した場合、異常提示条件に合致するか否かを検出するステップと、
前記異常提示条件が存在する場合、前記移転アカウントに異常提示情報を送信するステップと
をさらに含み、
ここで、前記異常提示条件には、取得された前記生理的特徴と一緒に送信したデバイス識別子が、前記移転アカウントにバインディングされた履歴があり、且つ、現在には前記移転アカウントにバインディングされていないこと、或いは、所定の期間内に、前記移転アカウントとバインディングされたモバイルデバイスにより送信する生理的特徴を受信したことがないことが含まれる。
【００１２】
オプションとして、
前記資源を移転するステップは、
簡素化された資源移転の流れに従って、前記資源を移転するステップ
を含み、
ここで、前記簡素化された資源移転の流れには、そのまま前記資源を移転する流れ、或いは、前記資源の移転に必要な移転パスワード、検証コード、或いは、受信した動的情報の中の少なくとも一つによる検証を省略して、資源移転を行う流れが含まれる。
【００１３】
オプションとして、
前記方法は、
前記生理的特徴と、保存された前記移転アカウントの生理的特徴モデルとが一致しない場合、前記資源の移転に必要な移転パスワードによる検証が少なくとも含まれた、デフォルトの資源移転の流れに従って、前記資源を移転するステップ
をさらに含む。
【００１４】
本発明の実施例に係る第２の態様によると、資源移転装置を提供する。
【００１５】
前記装置は、
移転アカウントを用いて送信した、資源移転を要請するための資源移転要請を受信するための第１受信モジュールと、
前記移転アカウントとバインディングされたモバイルデバイスにより採集した生理的特徴を受信したか否かを検出するための第１検出モジュールと、
前記第１検出モジュールにより前記移転アカウントとバインディングされたモバイルデバイスにより採集した生理的特徴を受信したことが検出された場合、前記生理的特徴と保存された前記移転アカウントの生理的特徴モデルとが一致すると、前記資源を移転するための第１移転モジュールと
を備える。
【００１６】
オプションとして、
前記第１検出モジュールは、
前記資源移転要請が受信された受信タイミングを特定するための特定サブモジュールと、
前記特定サブモジュールにより特定した前記受信タイミングが含まれた所定の時間帯内に、前記移転アカウントとバインディングされたモバイルデバイスにより採集した生理的特徴を受信したか否かを検出するための検出サブモジュールと
を備える。
【００１７】
オプションとして、
前記装置は、
前記移転アカウントにモバイルデバイスをバインディングするための設定命令を受信するための第２受信モジュールと、
前記第２受信モジュールにより受信した前記設定命令の中から選定したモバイルデバイスのデバイス識別子と、前記移転アカウントとをバインディングするためのバインディングモジュールと
をさらに備える。
【００１８】
オプションとして、
前記装置は、
前記移転アカウントの生理的特徴モデルが保存されていない場合、受信した前記生理的特徴を用いて、前記移転アカウントの生理的特徴モデルを確立するための確立モジュールと、
前記移転アカウントの生理的特徴モデルが保存されている場合、前記生理的特徴と前記生理的特徴モデルとが一致すると、受信した前記生理的特徴を用いて、前記移転アカウントの生理的特徴モデルを修正するための修正モジュールと
をさらに備える。
【００１９】
オプションとして、
前記装置は、
前記移転アカウントとバインディングされたモバイルデバイスにより送信した生理的特徴を受信した場合、異常提示条件に合致するか否かを検出するための第２検出モジュールと、
前記第２検出モジュールにより前記異常提示条件が存在することが検出された場合、前記移転アカウントに異常提示情報を送信するための送信モジュールと
をさらに備え、
ここで、前記異常提示条件には、取得された前記生理的特徴と一緒に送信したデバイス識別子が、前記移転アカウントにバインディングされた履歴があり、且つ、現在には前記移転アカウントにバインディングされていないこと、或いは、所定の期間内に、前記移転アカウントとバインディングされたモバイルデバイスにより送信する生理的特徴を受信したことがないことが含まれる。
【００２０】
オプションとして、
前記第１移転モジュールは、
さらに、簡素化された資源移転の流れに従って、前記資源を移転し、
ここで、前記簡素化された資源移転の流れには、そのまま前記資源を移転する流れ、或いは、前記資源の移転に必要な移転パスワード、検証コード、或いは、受信した動的情報の中の少なくとも一つによる検証を省略して、資源移転を行う流れが含まれる。
【００２１】
オプションとして、
前記装置は、
前記生理的特徴と、保存された前記移転アカウントの生理的特徴モデルとが一致しない場合、前記資源の移転に必要な移転パスワードによる検証が少なくとも含まれた、デフォルトの資源移転の流れに従って、前記資源を移転するための第２移転モジュール
をさらに備える。
【００２２】
本発明の実施例に係る第３の態様によると、資源移転装置を提供する。
【００２３】
前記装置は、
プロセッサと、
前記プロセッサが実行可能な命令を記憶するためのメモリと
を備え、
前記プロセッサは、
移転アカウントを用いて送信した、資源移転を要請するための資源移転要請を受信し、
前記移転アカウントとバインディングされたモバイルデバイスにより採集した生理的特徴を受信したか否かを検出し、
前記移転アカウントとバインディングされたモバイルデバイスにより採集した生理的特徴を受信したことが検出された場合、前記生理的特徴と保存された前記移転アカウントの生理的特徴モデルとが一致すると、前記資源を移転する
ように構成される。
【発明の効果】
【００２４】
本発明の実施例が提供する構成の有益な効果は以下のとおりである。
【００２５】
移転アカウントによる移転資源の要請を受信した時に、受信した生理的特徴と移転アカウントの生理的特徴モデルとが一致することが検出された場合に、要請された資源を移転することにより、サーバにより受信した生理的特徴と生理的特徴モデルとが一致するか否かを判断して、一致するとそのまま資源を移転するため、資源を移転する過程にいろんなパスワードを用いて資源移転のセキュリティを保証することを起因とする、資源移転の流れが複雑になる問題を解決することにより、セキュリティを保証した同時に、資源移転の流れの複雑度を低下させる効果を得た。
【００２６】
以上の統括な記述と以下の細部記述は、ただ例示的なものであり、本発明を制限するものではないと、理解するべきである。
【図面の簡単な説明】
【００２７】
以下の図面は、明細書の一部分として明細書全体を構成することにより、本発明に合致する実施例を例示するとともに、本発明の原理を解釈するためのものである。
【図１】一部の例示的な実施例に係る資源移転方法に関する実施環境を示す模式図である。
【図２】例示的な一実施例に係る資源移転方法を示すフローチャートである。
【図３Ａ】例示的なもう一実施例に係る資源移転方法を示すフローチャートである。
【図３Ｂ】例示的な一実施例に係る移転アカウントとデバイス識別子とをバインディングする流れを示すフローチャートである。
【図３Ｃ】例示的な一実施例に係る生理的特徴モデルを確立して更新する流れを示すフローチャートである。
【図３Ｄ】例示的な一実施例に係る異常を提示する流れを示すフローチャートである。
【図４】例示的な一実施例に係る資源移転装置を示すブロック図である。
【図５】例示的なもう一実施例に係る資源移転装置を示すブロック図である。
【図６】例示的な一実施例に係る資源を移転するための装置を示すブロック図である。
【発明を実施するための形態】
【００２８】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００２９】
図１は、一部の例示的な実施例に係る資源移転方法に関する実施環境を示す模式図である。図１に示したように、当該実施環境には、少なくとも一つのモバイルデバイス１２０、サーバ１４０及び移転要請端末１６０が含まれる。
【００３０】
モバイルデバイス１２０には、一般的に、センサが設置されており、当該センサは、例えば、心拍数、血圧、腕振り振幅 、指紋、顔部情報、等のようなユーザの生理的特徴を採集する。ここでのモバイルデバイス１２０は、一般的に、ユーザが、常に、携帯するか、或いは、着用するデバイスである。例えば、スマートブレスレット、スマートキーチェーン、スマートウォッチ、スマートネクタイピン、スマート指輪、等のようなユーザが着用できるデバイスである。それで、ユーザの生理的特徴を随時に採集できる。
【００３１】
移転要請端末１６０は、資源移転を要請するための電子デバイスであってもよい。当該電子デバイスは、資源移転機能を有するスマートフォン、タブレットＰＣ、スマートテレビ、電子ブックリーダー、マルチメディアプレーヤー、携帯型コンピュータ、デスクトップコンピューター、等であってもよい。
【００３２】
サーバ１４０は、有線ネットワーク、或は、無線ネットワークを介して、モバイルデバイス１２０及び移転要請端末１６０に、それぞれ、接続されてもよい。
【００３３】
サーバ１４０は、モバイルデバイス１２０によりリアルタイムに採集して送信する生理的特徴を受信し、また、移転要請端末１６０により送信する資源移転要請を受信して、生理的特徴に基づいて資源移転要請に対して処理を行う。ここでのサーバ１４０は、一つのサーバ、或いは、幾つかのサーバを組み合わせたサーバークラスタ、或いは、一つのクラウドコンピューティング・サービスセンターであってもよい。また、当該サーバ１４０は、バックグラウンド・サーバであってもよい。
【００３４】
これら情報に基づいて、移転要請端末１６０により移転を要請する資源が、移転パスワード、等の確認流れを避けて移転できるか否かを特定する。
【００３５】
図２は、例示的な一実施例に係る資源移転方法を示すフローチャートである。図２に示したように、当該資源移転方法は、図１に示された実施環境の中のサーバ１４０に適用される。当該方法は、以下のステップを含む。
【００３６】
ステップ２０１において、移転アカウントを用いて送信した、資源移転を要請するための資源移転要請を受信する。
【００３７】
ステップ２０２において、当該移転アカウントにバインディングされたモバイルデバイスにより採集した生理的特徴を受信したか否かを検出する。
【００３８】
ステップ２０３において、当該移転アカウントにバインディングされたモバイルデバイスにより採集した生理的特徴を受信したことが検出された場合、当該生理的特徴と、保存された当該移転アカウントの生理的特徴モデルとが一致すると、当該資源を移転する。
【００３９】
当該移転アカウントにバインディングされたモバイルデバイスにより採集した生理的特徴を受信したことが検出された場合、サーバは、当該生理的特徴と、保存された当該移転アカウントの生理的特徴モデムとの間の一致度を演算して、演算し得た一致度の値が所定の一致度閾値より大きいと、当該生理的特徴と保存された当該移転アカウントの生理的特徴モデルとが一致するとして特定する。
【００４０】
上記のように、本発明の実施例によって提供する資源移転方法によると、移転アカウントによる移転資源の要請を受信した時に、所定の時間帯内に受信した生理的特徴と移転アカウントの生理的特徴モデルとが一致することが検出されると、要請された資源を移転することにより、サーバにより受信した生理的特徴と生理的特徴モデルとが一致するか否かを判断して、一致するとそのまま資源を移転するため、資源を移転する過程にいろんなパスワードを用いて資源移転のセキュリティを保証することを起因とする、資源移転の流れが複雑になる問題を解決することにより、セキュリティを保証した同時に、資源移転の流れの複雑度を低下させる効果を得た。
【００４１】
図３Ａは、例示的なもう一実施例に係る資源移転方法を示すフローチャートである。図３Ａに示したように、当該資源移転方法は、図１に示された実施環境の中のサーバ１４０に適用される。当該方法は、以下のステップを含む。
【００４２】
ステップ３０１において、移転アカウントを用いて送信した、資源移転を要請するための資源移転要請を受信し、受信した資源移転要請の受信タイミングを特定する。
【００４３】
サーバは、移転アカウントを用いて送信した、資源移転を要請するための資源移転要請を受信した時に、当該資源移転要請が受信されたタイミングを記録してもよく、即ち、受信タイミングを記録してもよい。
【００４４】
オプションとして、資源移転要請の中には、移転アカウントが付加されている。
【００４５】
オプションとして、当該資源移転要請は、図１の実施環境の中の移転要請端末１６０により送信する。例えば、ユーザにより、当該移転アカウントを用いて当該移転要請端末１６０にログインした後に、ある資源の移転を要請する時に、当該移転要請端末１６０は、ユーザの制御に従ってサーバに当該資源移転要請を送信する。当該資源移転要請の中には、移転アカウント及び移転しようとする資源値が付加されている。一般的に、当該資源移転要請の中には、当該資源値に対応する資源が保存された第１資源ベースの識別子、及び、当該資源が移転される第２資源ベースの識別子が、さらに、含まれる。つまり、資源移転要請は、一般的に、移転アカウントによる、第１資源ベース中の指定された資源値を有する資源を第２資源ベース中に移転しようとする要請を指示する。
【００４６】
実際の適用において、資源移転要請の中に付加された情報は、実際の使用状況によって設定されてもよく、本実施例においては、資源移転要請の中に付加される情報に対して、具体的に、限定しない。
【００４７】
ステップ３０２において、当該受信タイミングが含まれた所定の時間帯内に、当該移転アカウントにバインディングされたモバイルデバイスにより採集した生理的特徴を受信到したか否かを検出する。
【００４８】
実際に実現する時には、モバイルデバイスには、センサが設置されてもよい。当該センサは、例えば、心拍数、血圧、腕振り振幅 、指紋、顔部情報、体重情報、等を含むユーザの生理的特徴を採集するためのものであってもよい。例えば、あるセンサは、ユーザの心拍数を採集し、あるセンサは、ユーザの血圧を採集し、あるセンサは、ユーザが歩く時の腕振り振幅及び周波数等を採集してもよい。オプションとして、互いに異なるモバイルデバイスにより採集した生理的特徴は、互いに異なってもよい。オプションとして、一つのモバイルデバイスは、少なくとも１種の生理的特徴を採集してもよい。
【００４９】
オプションとして、モバイルデバイスは、生理的特徴を採集した後に、所定の時間間隔おきに、或いは、リアルタイムに、採集した生理的特徴をサーバに送信してもよい。これに対し、サーバは、モバイルデバイスにより採集した生理的特徴を受信してもよい。ここでの所定の時間間隔は、実際要求によって設定されてもよい。頻繁にサーバへ生理的特徴を送信して資源移転のセキュリティを保証及び改善することが要求された場合には、当該所定の時間間隔をより小さく設定してもよい。そして、サーバとモバイルデバイスとの間のネットワーク状態が良くない場合には、当該所定の時間間隔をより大きく設定してもよい。本発明においては、当該所定の時間間隔の具体的な値に対して、具体的に、限定しない。
【００５０】
サーバは、前記受信タイミングが含まれた所定の時間帯内で、前記移転アカウントとバインディングされたモバイルデバイスにより採集した生理的特徴を受信したか否かを検出する時には、以下のステップを実行してもよい。
【００５１】
第１、当該移転アカウントにバインディングされたモバイルデバイスのデバイス識別子を特定する。
【００５２】
サーバ中には、モバイルデバイスのデバイス識別子と移転アカウントとの間のバインディング関係が保存されてもよい。サーバは、移転アカウントを用いて送信した資源移転要請を受信した時に、保存されたバインディング関係に基づいて、当該移転アカウントにバインディングされたデバイス識別子を検索してもよい。
【００５３】
オプションとして、サーバは、さらに、他のデバイス、或いは、サーバから、保存されたモバイルデバイスのデバイス識別子と移転アカウントとの間のバインディング関係を取得して、移転アカウントにより送信した資源移転要請を受信した時に、取得したバインディング関係に基づいて、当該移転アカウントにバインディングされたデバイス識別子を検索してもよい。
【００５４】
オプションとして、サーバは、さらに、移転アカウントを用いて送信した資源移転要請を受信した時に、モバイルデバイスのデバイス識別子と移転アカウントとの間のバインディング関係が保存された他のデバイス、或いは、サーバに、検索要請を送信してもよい。当該検索要請は、当該移転アカウントにバインディングされたデバイス識別子を検索し、これらデバイス、或いは、サーバにより検索要請に基づいて検索したデバイス識別子を受信するための要請である。
【００５５】
サーバにより当該移転アカウントにバインディングされたモバイルデバイスのデバイス識別子を特定する方法は、以上の方法以外に、さらに、想像できる簡単な方法を含んでもよく、本実施例においては、これらに対して、具体的に限定しない。
【００５６】
第２、受信タイミングを指定されたタイミングとする所定の時間帯内に、モバイルデバイスのデバイス識別子と一緒に送信した生理的特徴を受信したか否かを検出する。ここで、指定されたタイミングは、所定の時間帯の開始タイミング、終了タイミング、或いは、中間タイミングである。
【００５７】
一ケースにおいて、サーバは、受信タイミングを開始タイミングとする所定の時間帯内に、モバイルデバイスのデバイス識別子と一緒に送信した生理的特徴を受信したか否かを検出してもよい。つまり、サーバは、資源移転要請を受信した後に、受信タイミングから所定の時間帯内に、モバイルデバイスのデバイス識別子と一緒に送信した生理的特徴を受信したか否かを検出してもよい。
【００５８】
或いは、もう一ケースにおいて、サーバは、受信タイミングを終了タイミングとする所定の時間帯内に、モバイルデバイスのデバイス識別子と一緒に送信した生理的特徴を受信したか否かを検出してもよい。
【００５９】
或いは、さらにもう一ケースにおいて、サーバは、受信タイミングを中間タイミングとする所定の時間帯内、モバイルデバイスのデバイス識別子と一緒に送信した生理的特徴を受信したか否かを検出してもよい。
【００６０】
当然ながら、当該受信タイミングが含まれた所定の時間帯であればよく、開始タイミング、終了タイミング、或は、中間タイミングを当該受信タイミングとすることに限定されない。もちろん、当該所定の時間帯は、終了タイミングが当該受信タイミングの前に位置する時間帯であってもよく、或いは、開始タイミングが当該受信タイミングの後に位置する時間帯であってもよい。受信タイミングと所定の時間帯との関係は、実際要求によって設定されてもよく、これは、本発明の保護範囲を限定しない。
【００６１】
一般的に、モバイルデバイスは、生理的特徴を採集した後に、当該生理的特徴をサーバに送信してもよい。生理的特徴をサーバに送信する時に、サーバが当該生理的特徴はどのモバイルデバイスにより送信したかを識別できるようにするために、モバイルデバイスは、生理的特徴を送信する同時に、さらに当該モバイルデバイスのデバイス識別子を一緒に送信してもよい。ここでのデバイス識別子は、モバイルデバイスを一意的に識別するためのものである。
【００６２】
ステップ３０３において、当該受信タイミングが含まれた所定の時間帯内に、当該移転アカウントにバインディングされたモバイルデバイスにより採集した生理的特徴を受信したことが検出された場合、当該生理的特徴と、保存された当該移転アカウントの生理的特徴モデルとが一致すると、当該資源を移転する。
【００６３】
当該受信タイミングが含まれた所定の時間帯内に、当該移転アカウントにバインディングされたモバイルデバイスにより採集した生理的特徴を受信したことが検出された場合、サーバは、当該生理的特徴と、保存された当該移転アカウントの生理的特徴モデムとの間の一致度を演算し、演算し得た一致度の値が所定の一致度閾値より大きいと、当該生理的特徴と保存された当該移転アカウントの生理的特徴モデルとが一致するとして特定する。
【００６４】
ここでの所定の一致度閾値は、実際状況によって設定されてもよく、本実施例においては、所定の一致度閾値の具体的な値に対して、具体的に限定しない。一般的に、所定の一致度閾値が大きいほど、演算し得た一致度値が所定の一致度閾値より大きいと、当該生理的特徴と保存された当該移転アカウントの生理的特徴モデルとがもっと一致することを意味する。
【００６５】
当該生理的特徴と保存された当該移転アカウントの生理的特徴モデルとが一致すると、一般的に、この時の資源移転のセキュリティがより高いことを意味し、資源移転のセキュリティに必要ないろんなパスワード（例えば、移転パスワード、検証パスワード、等）の入力を起因とする移転の複雑度を低下させるために、簡素化された資源移転の流れに従って、当該資源を移転してもよい。ここでの簡素化された資源移転の流れは、そのまま当該資源を移転する流れであるか、或いは、当該資源を移転する時に必要な移転パスワード、検証コード、或いは、受信した動的情報の中の少なくとも一つによる検証を省略して資源を移転する流れである。
【００６６】
つまり、資源移転の流れには、一般的に、移転パスワードによる検証、検証コードによる検証、或いは、受信した動的情報による検証、等が含まれるが、この時に、その中の一つ或は複数による検証を省略して、省略されなかった流れを実行して、資源移転を完成してもよい。例えば、資源移転の流れに、移転パスワードによる検証、及び、検証コードによる検証が含まれた場合、検証コードによる検証を省略すると、移転パスワードによる検証だけ実行して、検証できた後に、資源を移転してもよい。
【００６７】
ステップ３０４において、当該生理的特徴と保存された当該移転アカウントの生理的特徴モデルとが一致しないと、デフォルトの資源移転の流れに従って、当該資源を移転する。当該デフォルトの資源移転の流れには、当該資源の移転に必要な移転パスワードによる検証が、少なくとも含まれる。
【００６８】
サーバは、当該生理的特徴と、保存された当該移転アカウントの生理的特徴モデムとの間の一致度を演算し、演算し得た一致度値が所定の一致度閾値未満であると、当該生理的特徴と保存された当該移転アカウントの生理的特徴モデルとが一致しないとして特定する。
【００６９】
当該生理的特徴と保存された当該移転アカウントの生理的特徴モデルとが一致しないと、一般的に、この時の資源移転のセキュリティがあまり高くないことを意味し、例えば、不正なユーザが正当なユーザのモバイルデバイスを使用して資源移転を要請することを意味し、この時には、資源移転のセキュリティを保証するために、デフォルトの資源移転の流れに従って資源移転を実行してもよい。例えば、当該デフォルトの資源移転の流れには、当該資源の移転に必要な移転パスワードによる検証が、少なくとも、含まれる。
【００７０】
一般的に、実際の移転要求によって、デフォルトの資源移転の流れには、資源の移転に必要な検証パスワードによる検証、等が含まれる。
【００７１】
上記のように、本発明の実施例によって提供する資源移転方法によると、移転アカウントによる移転資源の要請を受信した時に、所定の時間帯内に受信した生理的特徴と移転アカウントの生理的特徴モデルとが一致することが検出されると、要請された資源を移転することにより、サーバにより受信した生理的特徴と生理的特徴モデルとが一致するか否かを判断して、一致するとそのまま資源を移転するため、資源を移転する過程にいろんなパスワードを用いて資源移転のセキュリティを保証することを起因とする、資源移転の流れが複雑になる問題を解決することにより、セキュリティを保証した同時に、資源移転の流れの複雑度を低下させる効果を得た。
【００７２】
本発明の実施例によって提供する資源移転方法によると、移転アカウントによる移転資源の要請を受信した時に、所定の時間帯内に受信した生理的特徴と移転アカウントの生理的特徴モデルとが一致しないことが検出されると、デフォルトの資源移転の流れに従って当該資源を移転することにより、デフォルトの資源移転の流れに資源の移転に必要な移転パスワードによる検証過程が含まれているため、移転アカウントを用いて資源を移転する時のセキュリティを保証できる。
【００７３】
図３Ａに示した実施例に基づいて、オプションとする一実現方法において、サーバは、資源移転を行う時に、まず、移転アカウントとユーザにより設定したモバイルデバイスのデバイス識別子とをバインディングして、移転アカウントと当該移転アカウントにバインディングされたデバイス識別子との間のバインディング関係を保存してもよい。図３Ｂは、例示的な一実施例に係る移転アカウントとデバイス識別子とをバインディングする流れのフローチャートである。この時、当該資源移転方法におけるバインディング過程は、以下のステップを含む。
【００７４】
ステップｂ１において、移転アカウントにモバイルデバイスをバインディングするための設定命令を受信する。
【００７５】
実際の適用において、ユーザは、自身が使用する移転アカウントに、どのモバイルデバイスをバインディングするかを選定してもよい。例えば、ユーザが使用する設定端末は、ユーザにより選択したモバイルデバイスのデバイス識別子を受信して、サーバに、当該ユーザがログインした移転アカウントにモバイルデバイスをバインディングするための設定命令を送信し、これに対し、サーバは、当該移転アカウントにモバイルデバイスをバインディングするための設定命令を受信する。
【００７６】
オプションとして、ユーザの移転アカウントにモバイルデバイスをバインディングしたことがない場合、サーバは、当該移転アカウントにバインディング推奨を送信して、ユーザにモバイルデバイスをバインディングできることを通知して、資源を移転する時の流れを短縮してもよい。
【００７７】
ステップｂ２において、設定命令の中の選定されたモバイルデバイスのデバイス識別子と当該移転アカウントとをバインディングする。
【００７８】
サーバは、移転アカウントにモバイルデバイスをバインディングするための設定命令を受信した後に、設定命令の中の選定されたモバイルデバイスのデバイス識別子と当該移転アカウントとをバインディングして、当該移転アカウントとデバイス識別子との間のバインディング関係を保存する。
【００７９】
オプションとして、ユーザの移転アカウントがバインディングされた後に、ユーザは、さらに、ある一つ或いは複数のモバイルデバイスと当該移転アカウントとの間のバインディング関係を解除してもよい。例えば、ユーザの移転アカウントにバインディングされたあるモバイルデバイスが紛失された時に、当該移転アカウントのセキュリティを確保するために、当該移転アカウントに対応する生理的特徴モデルの精度を保証するために、ユーザは、当該移転アカウントを用いてサーバにバインディング解除要請を送信してもよい。ここで、当該バインディング解除要請には、解除しようとするデバイス識別子が含まれる。これに対し、サーバは、移転アカウントを用いて送信したバインディング解除要請を受信した後に、当該移転アカウントと当該バインディング解除要請に付加されたデバイス識別子とのにバインディング関係を解除してもよく、また、当該バインディング解除要請に付加されたデバイス識別子を、当該移転アカウントとバインディングした履歴があるデバイス識別子として特定してもよい。
【００８０】
上記のように、本発明の実施例によって提供する資源移転方法によると、移転アカウントとデバイス識別子とをバインディングして保存することにより、移転アカウントを用いて送信した資源移転要請を受信した時に、バインディングされたデバイス識別子に対応する生理的特徴に基づいてそのまま資源を移転するか否かを特定できるため、資源を移転する時の検証の流れを簡素化した。
【００８１】
図３Ａに示した実施例に基づいて、オプションとする実現方法において、図３Ｃは、例示的な一実施例に係る生理的特徴モデルを確立して更新する流れを示すフローチャートである。この時、当該資源移転方法は、以下のステップを、さらに、含んでもよい。
【００８２】
ステップｃ１において、当該移転アカウントにバインディングされた少なくとも一つのモバイルデバイスにより採集した生理的特徴を受信する。
【００８３】
モバイルデバイスにより、サーバに生理的特徴を送信する時に、いつも、採集した生理的特徴及びモバイルデバイスのデバイス識別子を同時にサーバに送信するため、サーバは、まず、移転アカウントにバインディングされたモバイルデバイスのデバイス識別子を特定してから、これらデバイス識別子に基づいてこれらデバイス識別子と一緒に受信した生理的特徴を検索してもよい。即ち、当該移転アカウントにバインディングされた少なくとも一つのモバイルデバイスにより採集した生理的特徴を受信する。
【００８４】
ステップｃ２において、当該移転アカウントの生理的特徴モデルが保存されていない場合、受信した生理的特徴を用いて当該移転アカウントの生理的特徴モデルを確立する。
【００８５】
サーバは、当該移転アカウントのためにまだ生理的特徴モデルを確立したことがない場合、受信した生理的特徴を用いて当該移転アカウントの生理的特徴モデルを確立する。
【００８６】
ステップｃ３において、当該移転アカウントの生理的特徴モデルが保存されている場合、当該生理的特徴と当該生理的特徴モデルとが一致すると、受信した生理的特徴を用いて、当該移転アカウントの生理的特徴モデルを修正する。
【００８７】
サーバは、当該移転アカウントのために生理的特徴モデルを既に確立したことがある場合、生理的特徴モデルを用いて当該移転アカウントのユーザを識別する精度を高めるために、当該生理的特徴と当該生理的特徴モデルとが一致すると、受信した生理的特徴を用いて、当該移転アカウントの生理的特徴モデルを修正してもよい。
【００８８】
当該生理的特徴と当該生理的特徴モデルとが一致しない場合は、一般的に、当該生理的特徴を採集したモバイルデバイスに異常状況が発生したことを意味するため、この時は、当該移転アカウントの生理的特徴モデルに対する干渉を避けるために、当該受信した生理的特徴を用いて当該移転アカウントの生理的特徴モデルを修正しない。オプションとして、サーバは、これら異常状況を保存して、これら異常状況に基づいて、後期の当該移転アカウントに対応する資源移転を実施する時に、他の操作流れを選択してもよい。
【００８９】
上記のように、本発明の実施例によって提供する資源移転方法によると、受信した、当該移転アカウントにバインディングされた少なくとも一つのモバイルデバイスにより採集した生理的特徴を用いて、当該移転アカウントのために生理的特徴モデルを確立するか、或いは、当該移転アカウントの生理的特徴モデルが保存されており、且つ、当該生理的特徴と当該生理的特徴モデルとが一致すると、受信した生理的特徴を用いて当該移転アカウントの生理的特徴モデルを修正することにより、学習する過程において生理的特徴モデルを確立し、当該生理的特徴モデルを更新及び完善し続けるため、当該生理的特徴モデルを用いて当該移転アカウントに対応するユーザをもっと精度よく識別できて、資源移転のセキュリティをさらに高めた。
【００９０】
図３Ａに示した実施例に基づいて、オプションとする実現方法において、図３Ｄは、例示的な一実施例に係る異常提示の流れを示すフローチャートである。当該資源移転方法は、以下のステップをさらに含んでもよい。
【００９１】
ステップｄ１において、移転アカウントにバインディングされたモバイルデバイスにより送信した生理的特徴を受信する時に、異常提示条件に合致するか否かを検出する。
【００９２】
ここでの異常提示条件には、取得した生理的特徴と一緒に送信したデバイス識別子が、当該移転アカウントにバインディングされた履歴があり、且つ、現在には当該移転アカウントにバインディングされていないこと、或いは、所定の期間内に、当該移転アカウントとバインディングされたモバイルデバイスにより送信する生理的特徴を受信したことがないことが含まれる。
【００９３】
モバイルデバイスにより、サーバに生理的特徴を送信する時に、いつも、採集した生理的特徴及びモバイルデバイスのデバイス識別子を同時にサーバに送信するため、サーバは、生理的特徴を受信した時に、当該生理的特徴と一緒に送信したデバイス識別子を取得してもよい。当該移転アカウントにバインディングされたモバイルデバイスが紛失された後に、合法ユーザは、一般的に、当該モバイルデバイスと当該移転アカウントとのバインディング関係を解除することにより、当該モバイルデバイスにより採集した生理的特徴を用いて当該ユーザ移転アカウントの生理的特徴モデルを修正し続けることを避けて、生理的特徴モデルが不正確になってしまうことを避ける必要がある。このため、あるモバイルデバイスのデバイス識別子が、ある移転アカウントにバインディングされたことがあるが、この後に、当該移転アカウントとのバインディング関係が解除された場合、もし、当該モバイルデバイスにより送信した生理的特徴を受信すると、異常状況が発生したと認めて、即ち、異常提示条件に合致すると認めて、ユーザに異常提示を行う。
【００９４】
もう一ケースにおいて、所定の期間内に当該移転アカウントにバインディングされたモバイルデバイスにより送信する生理的特徴を受信したことがない場合は、一般的に、当該モバイルデバイスが長い期間にかけて接続されなかったこと、或いは、当該モバイルデバイスのシステムがリフレッシュされたこと（システムがリフレッシュされたモバイルデバイスのデバイス識別子もリフレッシュされるおそれがある）を意味するため、サーバは、当該モバイルデバイスが送信した生理的特徴を取得及び識別できない。このため、リアルタイムに生理的特徴モデルを修正することができなく、異常状況が発生したと認めて、即ち、異常提示条件に合致すると認めて、ユーザに異常提示を行う。
【００９５】
ステップｄ２において、異常提示条件が存在する場合、当該移転アカウントに異常提示情報を送信する。
【００９６】
オプションとして、サーバは、当該移転アカウントに異常提示情報を送信した後に、当該異常提示情報を保存し、また、保存タイミングを記録して、もし、保存タイミングから所定の期間が経過した後に、当該移転アカウントを用いて送信した資源移転要請を受信すると、デフォルトの資源移転の流れに従って、当該資源を移転してもよい。当該デフォルトの資源移転の流れには、当該資源の移転に必要な移転パスワードによる検証が少なくとも含まれ、これにより、資源移転のセキュリティを保証する。
【００９７】
オプションとして、当該移転アカウントに異常提示情報を送信した後に、もし、資源移転要請を受信すると、資源移転のセキュリティを保証するために、デフォルトの資源移転の流れに従って、移転要請の資源を移転してもよい。デフォルトの資源移転の流れには、資源の移転に必要な移転パスワードによる検証が少なくとも含まれる。
【００９８】
上記のように、本発明の実施例によって提供する資源移転方法によると、生理的特徴を受信した時に、当該生理的特徴と一緒に送信したデバイス識別子を取得し、当該デバイス識別子が当該移転アカウントにバインディングされた履歴があり、且つ、現在には当該移転アカウントにバインディングされていない場合には、当該移転アカウントに異常提示情報を送信することにより、異常状況をユーザにタイムリーに通知して、ユーザのエクスペリエンス及びセキュリティを改善した。
【００９９】
本発明の実施例によって提供する資源移転方法によると、当該移転アカウントに異常状況を送信した後に、もし、所定の期間内に当該移転アカウントを用いて送信した資源移転要請を受信すると、デフォルトの資源移転の流れに従って当該資源を移転することにより、資源移転のセキュリティを保証した。
【０１００】
上記の図３Ａを単独に実施することにより資源移転方法としてもよく、図３Ｂ、図３Ｃ及び図３Ｄの中の一つ、二つ、或は、全部を組み合わせて実施することにより資源移転方法としてもよいことを、補足説明する必要がある。
【０１０１】
以下は、本発明の装置の実施例であり、本発明の方法の実施例を実行することができる。本発明の装置の実施例において記述していない細部内容に対しては、本発明の方法の実施例を参照してもいい。
【０１０２】
図４は、例示的な一実施例に係る資源移転装置を示すブロック図である。図４に示したように、当該資源移転装置は、図１に示した実施環境中のサーバ１４０に適用される。当該資源移転装置は、第１受信モジュール４０２、第１検出モジュール４０４及び第１移転モジュール４０６を備えるが、これらに限定されない。
【０１０３】
当該第１受信モジュール４０２は、移転アカウントを用いて送信した、資源移転を要請するための資源移転要請を受信する。
【０１０４】
当該第１検出モジュール４０４は、当該移転アカウントにバインディングされたモバイルデバイスにより採集した生理的特徴を受信したか否かを検出する。
【０１０５】
当該第１移転モジュール４０６は、第１検出モジュール４０４により当該移転アカウントにバインディングされたモバイルデバイスにより採集した生理的特徴を受信したことが検出された場合、当該生理的特徴と、保存された当該移転アカウントの生理的特徴モデルとが一致すると、当該資源を移転する。
【０１０６】
上記のように、本発明に係る実施例によって提供する資源移転装置によると、移転アカウントによる移転資源の要請を受信した時に、所定の時間帯内に受信した生理的特徴と移転アカウントの生理的特徴モデルとが一致することが検出されると、要請された資源を移転することにより、サーバにより受信した生理的特徴と生理的特徴モデルとが一致するか否かを判断して、一致するとそのまま資源を移転するため、資源を移転する過程にいろんなパスワードを用いて資源移転のセキュリティを保証することを起因とする、資源移転の流れが複雑になる問題を解決することにより、セキュリティを保証したと同時に、資源移転の流れの複雑度を低下させる効果を得た。
【０１０７】
図５は、例示的なもう一実施例に係る資源移転装置を示すブロック図である。図５に示したように、当該資源移転装置は、図１に示した実施環境中のサーバ１４０に適用される。当該資源移転装置は、第１受信モジュール５０２、第１検出モジュール５０４及び第１移転モジュール５０６を備えるが、これらに限定されない。
【０１０８】
当該第１受信モジュール５０２は、移転アカウントを用いて送信した、資源移転を要請するための資源移転要請を受信する。
【０１０９】
当該第１検出モジュール５０４は、当該移転アカウントにバインディングされたモバイルデバイスにより採集した生理的特徴を受信したか否かを検出する。
【０１１０】
当該第１移転モジュール５０６は、第１検出モジュール５０４により当該移転アカウントにバインディングされたモバイルデバイスにより採集した生理的特徴を受信したことが検出された場合、当該生理的特徴と、保存された当該移転アカウントの生理的特徴モデルとが一致すると、当該資源を移転する。
【０１１１】
オプションとする実現方法において、当該第１検出モジュール５０４は、特定サブモジュール５０４ａ及び検出サブモジュール５０４ｂを備えてもよい。
【０１１２】
特定サブモジュール５０４ａは、当該資源移転要請を受信した受信タイミングを特定する。
【０１１３】
検出サブモジュール５０４ｂは、当該特定サブモジュール５０４ａにより特定された当該受信タイミングが含まれた所定の時間帯内に、当該移転アカウントにバインディングされたモバイルデバイスにより採集した生理的特徴を受信したか否かを検出する。
【０１１４】
オプションとする実現方法において、当該資源移転装置は、第２受信モジュール５０８及びバインディングモジュール５１０をさらに備えてもよい。
【０１１５】
第２受信モジュール５０８は、当該移転アカウントにモバイルデバイスをバインディングするための設定命令を受信する。
【０１１６】
バインディングモジュール５１０は、第２受信モジュール５０８受信した設定命令中の選定されたモバイルデバイスのデバイス識別子と当該移転アカウントとをバインディングする。
【０１１７】
オプションとする実現方法において、当該資源移転装置は、確立モジュール５１４及び修正モジュール５１６をさらに備えてもよい。
【０１１８】
確立モジュール５１４は、当該移転アカウントの生理的特徴モデルが保存されていない場合、受信した生理的特徴を用いて当該移転アカウントの生理的特徴モデルを確立する。
【０１１９】
修正モジュール５１６は、当該移転アカウントの生理的特徴モデルが保存されている場合、当該生理的特徴と当該生理的特徴モデルとが一致すると、受信した当該生理的特徴を用いて、当該移転アカウントの生理的特徴モデルを修正する。
【０１２０】
オプションとする実現方法において、当該資源移転装置は、第２検出モジュール５１８及び送信モジュール５２０をさらに備えてもよい。
【０１２１】
第２検出モジュール５１８は、当該移転アカウントにバインディングされたモバイルデバイスにより送信した生理的特徴を受信する時に、異常提示条件に合致するか否かを検出する。当該異常提示条件には、取得した当該生理的特徴と一緒に送信したデバイス識別子が当該移転アカウントにバインディングされた履歴があり、且つ、現在には当該移転アカウントにバインディングされていないこと、或いは、所定の期間内に、当該移転アカウントとバインディングされたモバイルデバイスにより送信する生理的特徴を受信したことがないことが含まれる。
【０１２２】
送信モジュール５２０は、当該第２検出モジュール５１８により当該異常提示条件が存在することが検出された場合、当該移転アカウントに異常提示情報を送信する。
【０１２３】
オプションとする実現方法において、当該第１移転モジュール５０６は、さらに、簡素化された資源移転の流れに従って、当該資源を移転する。簡素化された資源移転の流れは、そのまま当該資源を移転を行う流れ、或いは、当該資源の移転に必要な移転パスワード、検証コード、或いは、受信した動的情報の中の少なくとも一つによる検証資源を省略して移転を行う流れである。
【０１２４】
オプションとする実現方法において、当該資源移転装置は、第２移転モジュール５２２をさらに備えてもよい。
【０１２５】
第２移転モジュール５２２は、当該生理的特徴と保存された当該移転アカウントの生理的特徴モデルとが一致しない場合、デフォルトの資源移転の流れに従って、当該資源を移転する。当該デフォルトの資源移転の流れには、当該資源の移転に必要な移転パスワードによる検証が少なくとも含まれる。
【０１２６】
上記のように、本発明に係る実施例によって提供する資源移転装置によると、移転アカウントによる移転資源の要請を受信した時に、所定の時間帯内に受信した生理的特徴と移転アカウントの生理的特徴モデルとが一致することが検出されると、要請された資源を移転することにより、サーバにより受信した生理的特徴と生理的特徴モデルとが一致するか否かを判断して、一致するとそのまま資源を移転するため、資源を移転する過程にいろんなパスワードを用いて資源移転のセキュリティを保証することを起因とする、資源移転の流れが複雑になる問題を解決することにより、セキュリティを保証したと同時に、資源移転の流れの複雑度を低下させる効果を得た。
【０１２７】
本発明に係る実施例によって提供する資源移転装置によると、移転アカウントによる移転資源の要請を受信した時に、所定の時間帯内に受信した生理的特徴と移転アカウントの生理的特徴モデルとが一致しないことが検出されると、デフォルトの資源移転の流れに従って当該資源を移転することにより、デフォルトの資源移転の流れに資源の移転に必要な移転パスワードによる検証過程が含まれているため、移転アカウントを用いて資源を移転する時のセキュリティを保証できる。
【０１２８】
本発明に係る実施例によって提供する資源移転装置によると、移転アカウントとデバイス識別子とをバインディングして保存することにより、移転アカウントを用いて送信した資源移転要請を受信した時に、バインディングされたデバイス識別子に対応する生理的特徴に基づいてそのまま資源を移転するか否かを特定できるため、資源を移転する時の検証の流れを簡素化した。
【０１２９】
本発明に係る実施例によって提供する資源移転装置によると、受信した、当該移転アカウントにバインディングされた少なくとも一つのモバイルデバイスにより採集した生理的特徴を用いて、当該移転アカウントのために生理的特徴モデルを確立するか、或いは、当該移転アカウントの生理的特徴モデルが保存されており、且つ、当該生理的特徴と当該生理的特徴モデルとが一致すると、受信した生理的特徴を用いて当該移転アカウントの生理的特徴モデルを修正することにより、学習する過程において生理的特徴モデルを確立し、当該生理的特徴モデルを更新及び完善し続けるため、当該生理的特徴モデルを用いて当該移転アカウントに対応するユーザをもっと精度よく識別できて、資源移転のセキュリティをさらに高めた。
【０１３０】
本発明に係る実施例によって提供する資源移転装置によると、生理的特徴を受信した時に、当該生理的特徴と一緒に送信したデバイス識別子を取得し、当該デバイス識別子が当該移転アカウントにバインディングされた履歴があり、且つ、現在には当該移転アカウントにバインディングされていない場合には、当該移転アカウントに異常提示情報を送信することにより、異常状況をユーザにタイムリーに通知して、ユーザのエクスペリエンス及びセキュリティを改善した。
【０１３１】
上記の実施例の装置について、その各モジュールが実行する操作の具体的な形態は既に当該方法に関する実施例において詳細に説明したため、ここでは詳細に説明しない。
【０１３２】
本発明に係る例示的な一実施例によると資源移転装置を提供する。当該装置は、本発明によって提供する資源移転方法を実現でき、図１に示した実施環境中のサーバ１４０に適用される。
【０１３３】
当該資源移転装置は、プロセッサと、前記プロセッサが実行可能な命令を記憶するためのメモリとを備え、前記プロセッサは、移転アカウントを用いて送信した、資源移転を要請するための資源移転要請を受信し、前記移転アカウントとバインディングされたモバイルデバイスにより採集した生理的特徴を受信したか否かを検出し、前記移転アカウントとバインディングされたモバイルデバイスにより採集した生理的特徴を受信したことが検出された場合、前記生理的特徴と保存された前記移転アカウントの生理的特徴モデルとが一致すると、前記資源を移転するように構成される。
【０１３４】
図６は、例示的な一実施例に係る資源を移転するための装置を示すブロック図である。例えば、装置６００をサーバとして提供してもよい。図６を参照すると、装置６００は、プロセスアセンブリ６０２を備える。当該プロセスアセンブリ６０２は、一つ以上のプロセッサ、及びメモリ６０４を代表とするメモリリソースを、さらに備える。当該メモリリソースは、プロセスアセンブリ６０２によって実行される、例えばアプリケーションプログラムのような命令を保存する。メモリ６０４中に保存されたアプリケーションプログラムには、それぞれ一つの命令のセットに対応する一つ以上のモジュールを含まれてもよい。なお、プロセスアセンブリ６０２は、命令を実行することにより、上記の資源移転方法を実行する。
【０１３５】
装置６００は、装置６００の電源を管理するための一つの電源アセンブリ６０６、装置６００をネットワークに接続させるための一つの有線又は無線のネットワークインターフェイス６０８、及び、一つの入出力インターフェイス６１０を備えてもよい。装置６００は、メモリ６０４に保存された、例えば、Ｗｉｎｄｏｗｓ  ＳｅｒｖｅｒＴＭ、Ｍａｃ  ＯＳ  ＸＴＭ、ＵｎｉｘＴＭ，  ＬｉｎｕｘＴＭ、ＦｒｅｅＢＳＤＴＭのようなオペレーティング・システムによって、操作を行うことができる。
【０１３６】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０１３７】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【図１】
2017506401.tif 000003
【図２】
2017506401.tif 000004
【図３Ａ】
2017506401.tif 000005
【図３Ｂ】
2017506401.tif 000006
【図３Ｃ】
2017506401.tif 000007
【図３Ｄ】
2017506401.tif 000008
【図４】
2017506401.tif 000009
【図５】
2017506401.tif 000010
【図６】
2017506401.tif 000011
【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
移転アカウントを用いて送信した、資源移転を要請するための資源移転要請を受信するステップと、
前記移転アカウントとバインディングされたモバイルデバイスにより採集した生理的特徴を受信したか否かを検出するステップと、
前記移転アカウントとバインディングされたモバイルデバイスにより採集した生理的特徴を受信したことが検出された場合、前記生理的特徴と保存された前記移転アカウントの生理的特徴モデルとが一致すると、前記資源を移転するステップと
を含むことを特徴とする資源移転方法。
【請求項２】
前記移転アカウントとバインディングされたモバイルデバイスにより採集した生理的特徴を受信したか否かを検出するステップは、
前記資源移転要請が受信された受信タイミングを特定するステップと、
前記受信タイミングが含まれた所定の時間帯内で、前記移転アカウントとバインディングされたモバイルデバイスにより採集した生理的特徴を受信したか否かを検出するステップと
を含むことを特徴とする請求項１に記載の資源移転方法。
【請求項３】
前記移転アカウントにモバイルデバイスをバインディングするための設定命令を受信するステップと、
前記設定命令の中から選定したモバイルデバイスのデバイス識別子と、前記移転アカウントとをバインディングするステップと
をさらに含むことを特徴とする請求項１に記載の資源移転方法。
【請求項４】
前記移転アカウントの生理的特徴モデルが保存されていない場合、受信した前記生理的特徴を用いて、前記移転アカウントの生理的特徴モデルを確立するステップと、
前記移転アカウントの生理的特徴モデルが保存されている場合、前記生理的特徴と前記生理的特徴モデルとが一致すると、受信した前記生理的特徴を用いて、前記移転アカウントの生理的特徴モデルを修正するステップと
をさらに含むことを特徴とする請求項１に記載の資源移転方法。
【請求項５】
前記移転アカウントとバインディングされたモバイルデバイスにより送信した生理的特徴を受信した場合、異常提示条件に合致するか否かを検出するステップと、
前記異常提示条件が存在する場合、前記移転アカウントに異常提示情報を送信するステップと
をさらに含み、
ここで、前記異常提示条件には、取得された前記生理的特徴と一緒に送信したデバイス識別子が、前記移転アカウントにバインディングされた履歴があり、且つ、現在には前記移転アカウントにバインディングされていないこと、或いは、所定の期間内に、前記移転アカウントとバインディングされたモバイルデバイスにより送信する生理的特徴を受信したことがないことが含まれる
ことを特徴とする請求項１に記載の資源移転方法。
【請求項６】
前記資源を移転するステップは、
簡素化された資源移転の流れに従って、前記資源を移転するステップ
を含み、
ここで、前記簡素化された資源移転の流れには、そのまま前記資源を移転する流れ、或いは、前記資源の移転に必要な移転パスワード、検証コード、或いは、受信した動的情報の中の少なくとも一つによる検証を省略して、資源移転を行う流れが含まれる
ことを特徴とする請求項１に記載の資源移転方法。
【請求項７】
前記生理的特徴と、保存された前記移転アカウントの生理的特徴モデルとが一致しない場合、前記資源の移転に必要な移転パスワードによる検証が少なくとも含まれた、デフォルトの資源移転の流れに従って、前記資源を移転するステップを
さらに含むことを特徴とする請求項１乃至６の中のいずれか１項に記載の資源移転方法。
【請求項８】
移転アカウントを用いて送信した、資源移転を要請するための資源移転要請を受信するための第１受信モジュールと、
前記移転アカウントとバインディングされたモバイルデバイスにより採集した生理的特徴を受信したか否かを検出するための第１検出モジュールと、
前記第１検出モジュールにより前記移転アカウントとバインディングされたモバイルデバイスにより採集した生理的特徴を受信したことが検出された場合、前記生理的特徴と保存された前記移転アカウントの生理的特徴モデルとが一致すると、前記資源を移転するための第１移転モジュールと
を備えることを特徴とする資源移転装置。
【請求項９】
前記第１検出モジュールは、
前記資源移転要請が受信された受信タイミングを特定するための特定サブモジュールと、
前記特定サブモジュールにより特定した前記受信タイミングが含まれた所定の時間帯内に,前記移転アカウントとバインディングされたモバイルデバイスにより採集した生理的特徴を受信したか否かを検出するための検出サブモジュールと
を備えることを特徴とする請求項８に記載の資源移転装置。
【請求項１０】
前記移転アカウントにモバイルデバイスをバインディングするための設定命令を受信するための第２受信モジュールと、
前記第２受信モジュールにより受信した前記設定命令の中から選定したモバイルデバイスのデバイス識別子と、前記移転アカウントとをバインディングするためのバインディングモジュールと
をさらに備えることを特徴とする請求項８に記載の資源移転装置。
【請求項１１】
前記移転アカウントの生理的特徴モデルが保存されていない場合、受信した前記生理的特徴を用いて、前記移転アカウントの生理的特徴モデルを確立するための確立モジュールと、
前記移転アカウントの生理的特徴モデルが保存されている場合、前記生理的特徴と前記生理的特徴モデルとが一致すると、受信した前記生理的特徴を用いて、前記移転アカウントの生理的特徴モデルを修正するための修正モジュールと
をさらに備えることを特徴とする請求項８に記載の資源移転装置。
【請求項１２】
前記移転アカウントとバインディングされたモバイルデバイスにより送信した生理的特徴を受信した場合、異常提示条件に合致するか否かを検出するための第２検出モジュールと、
前記第２検出モジュールにより前記異常提示条件が存在することが検出された場合、前記移転アカウントに異常提示情報を送信するための送信モジュールと
をさらに備え、
ここで、前記異常提示条件には、取得された前記生理的特徴と一緒に送信したデバイス識別子が、前記移転アカウントにバインディングされた履歴があり、且つ、現在には前記移転アカウントにバインディングされていないこと、或いは、所定の期間内に、前記移転アカウントとバインディングされたモバイルデバイスにより送信する生理的特徴を受信したことがないことが含まれる
ことを特徴とする請求項８に記載の資源移転装置。
【請求項１３】
前記第１移転モジュールは、
さらに、簡素化された資源移転の流れに従って、前記資源を移転し、
ここで、前記簡素化された資源移転の流れには、そのまま前記資源を移転する流れ、或いは、前記資源の移転に必要な移転パスワード、検証コード、或いは、受信した動的情報の中の少なくとも一つによる検証を省略して、資源移転を行う流れが含まれる
ことを特徴とする請求項８に記載の資源移転装置。
【請求項１４】
前記生理的特徴と、保存された前記移転アカウントの生理的特徴モデルとが一致しない場合、前記資源の移転に必要な移転パスワードによる検証が少なくとも含まれた、デフォルトの資源移転の流れに従って、前記資源を移転するための第２移転モジュール
をさらに備えることを特徴とする請求項８乃至１３の中のいずれか１項に記載の資源移転装置。
【請求項１５】
プロセッサと、
前記プロセッサが実行可能な命令を記憶するためのメモリと
を備え、
前記プロセッサは、
移転アカウントを用いて送信した、資源移転を要請するための資源移転要請を受信し、
前記移転アカウントとバインディングされたモバイルデバイスにより採集した生理的特徴を受信したか否かを検出し、
前記移転アカウントとバインディングされたモバイルデバイスにより採集した生理的特徴を受信したことが検出された場合、前記生理的特徴と保存された前記移転アカウントの生理的特徴モデルとが一致すると、前記資源を移転する
ように構成されることを特徴とする資源移転装置。
【請求項１６】
プロセッサに実行されることにより、請求項１から請求項７のいずれか１項に記載の資源移転方法を実現することを特徴とするプログラム。
【請求項１７】
請求項１６に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本願は、出願番号がＣＮ２０１４１０８２９４８２.１であって、出願日が２０１４年１２月２７日である中国特許出願に基づいて優先権を主張し、当該中国特許出願のすべての内容を援用する。
【０００２】
本発明は、コンピュータ技術分野に関し、特に、資源移転方法、装置、プログラム及び記録媒体に関する。
【背景技術】
【０００３】
電子商取引の業界の高速の発展に伴い、人々は、ネットワーク・プラットフォームを通じて行う資源移転等の操作を、ますます、好んでいる。資源移転とは、資源を第１資源ベースから第２資源ベースへ移転する過程を意味する。
【０００４】
資源移転を行う際に、例えば、移転パスワード、ログインパスワード、ＳＭＳ検証コード、等のようないろんなパスワードを用いて、資源移転のセキュリティを保証する。ユーザにより入力したパスワードが正しい時にだけ、移転を要請する資源を移転することができる。
【発明の概要】
【発明が解決しようとする課題】
【０００５】
本発明は、資源移転方法、装置、プログラム及び記録媒体を提供する。その構成は以下のとおりである。
【課題を解決するための手段】
【０００６】
本発明の実施例に係る第１の態様によると、資源移転方法を提供する。
【０００７】
前記方法は、
移転アカウントを用いて送信した、資源移転を要請するための資源移転要請を受信するステップと、
前記移転アカウントとバインディングされたモバイルデバイスにより採集した生理的特徴を受信したか否かを検出するステップと、
前記移転アカウントとバインディングされたモバイルデバイスにより採集した生理的特徴を受信したことが検出された場合、前記生理的特徴と保存された前記移転アカウントの生理的特徴モデルとが一致すると、前記資源を移転するステップと
を含む。
【０００８】
オプションとして、
前記移転アカウントとバインディングされたモバイルデバイスにより採集した生理的特徴を受信したか否かを検出するステップは、
前記資源移転要請が受信された受信タイミングを特定するステップと、
前記受信タイミングが含まれた所定の時間帯内で、前記移転アカウントとバインディングされたモバイルデバイスにより採集した生理的特徴を受信したか否かを検出するステップと
を含む。
【０００９】
オプションとして、
前記方法は、
前記移転アカウントにモバイルデバイスをバインディングするための設定命令を受信するステップと、
前記設定命令の中から選定したモバイルデバイスのデバイス識別子と、前記移転アカウントとをバインディングするステップと
をさらに含む
【００１０】
オプションとして、
前記方法は、
前記移転アカウントの生理的特徴モデルが保存されていない場合、受信した前記生理的特徴を用いて、前記移転アカウントの生理的特徴モデルを確立するステップと、
前記移転アカウントの生理的特徴モデルが保存されている場合、前記生理的特徴と前記生理的特徴モデルとが一致すると、受信した前記生理的特徴を用いて、前記移転アカウントの生理的特徴モデルを修正するステップと
をさらに含む。
【００１１】
オプションとして、
前記方法は、
前記移転アカウントとバインディングされたモバイルデバイスにより送信した生理的特徴を受信した場合、異常提示条件に合致するか否かを検出するステップと、
前記異常提示条件が存在する場合、前記移転アカウントに異常提示情報を送信するステップと
をさらに含み、
ここで、前記異常提示条件には、取得された前記生理的特徴と一緒に送信したデバイス識別子が、前記移転アカウントにバインディングされた履歴があり、且つ、現在には前記移転アカウントにバインディングされていないこと、或いは、所定の期間内に、前記移転アカウントとバインディングされたモバイルデバイスにより送信する生理的特徴を受信したことがないことが含まれる。
【００１２】
オプションとして、
前記資源を移転するステップは、
簡素化された資源移転の流れに従って、前記資源を移転するステップ
を含み、
ここで、前記簡素化された資源移転の流れには、そのまま前記資源を移転する流れ、或いは、前記資源の移転に必要な移転パスワード、検証コード、或いは、受信した動的情報の中の少なくとも一つによる検証を省略して、資源移転を行う流れが含まれる。
【００１３】
オプションとして、
前記方法は、
前記生理的特徴と、保存された前記移転アカウントの生理的特徴モデルとが一致しない場合、前記資源の移転に必要な移転パスワードによる検証が少なくとも含まれた、デフォルトの資源移転の流れに従って、前記資源を移転するステップ
をさらに含む。
【００１４】
本発明の実施例に係る第２の態様によると、資源移転装置を提供する。
【００１５】
前記装置は、
移転アカウントを用いて送信した、資源移転を要請するための資源移転要請を受信するための第１受信モジュールと、
前記移転アカウントとバインディングされたモバイルデバイスにより採集した生理的特徴を受信したか否かを検出するための第１検出モジュールと、
前記第１検出モジュールにより前記移転アカウントとバインディングされたモバイルデバイスにより採集した生理的特徴を受信したことが検出された場合、前記生理的特徴と保存された前記移転アカウントの生理的特徴モデルとが一致すると、前記資源を移転するための第１移転モジュールと
を備える。
【００１６】
オプションとして、
前記第１検出モジュールは、
前記資源移転要請が受信された受信タイミングを特定するための特定サブモジュールと、
前記特定サブモジュールにより特定した前記受信タイミングが含まれた所定の時間帯内に、前記移転アカウントとバインディングされたモバイルデバイスにより採集した生理的特徴を受信したか否かを検出するための検出サブモジュールと
を備える。
【００１７】
オプションとして、
前記装置は、
前記移転アカウントにモバイルデバイスをバインディングするための設定命令を受信するための第２受信モジュールと、
前記第２受信モジュールにより受信した前記設定命令の中から選定したモバイルデバイスのデバイス識別子と、前記移転アカウントとをバインディングするためのバインディングモジュールと
をさらに備える。
【００１８】
オプションとして、
前記装置は、
前記移転アカウントの生理的特徴モデルが保存されていない場合、受信した前記生理的特徴を用いて、前記移転アカウントの生理的特徴モデルを確立するための確立モジュールと、
前記移転アカウントの生理的特徴モデルが保存されている場合、前記生理的特徴と前記生理的特徴モデルとが一致すると、受信した前記生理的特徴を用いて、前記移転アカウントの生理的特徴モデルを修正するための修正モジュールと
をさらに備える。
【００１９】
オプションとして、
前記装置は、
前記移転アカウントとバインディングされたモバイルデバイスにより送信した生理的特徴を受信した場合、異常提示条件に合致するか否かを検出するための第２検出モジュールと、
前記第２検出モジュールにより前記異常提示条件が存在することが検出された場合、前記移転アカウントに異常提示情報を送信するための送信モジュールと
をさらに備え、
ここで、前記異常提示条件には、取得された前記生理的特徴と一緒に送信したデバイス識別子が、前記移転アカウントにバインディングされた履歴があり、且つ、現在には前記移転アカウントにバインディングされていないこと、或いは、所定の期間内に、前記移転アカウントとバインディングされたモバイルデバイスにより送信する生理的特徴を受信したことがないことが含まれる。
【００２０】
オプションとして、
前記第１移転モジュールは、
さらに、簡素化された資源移転の流れに従って、前記資源を移転し、
ここで、前記簡素化された資源移転の流れには、そのまま前記資源を移転する流れ、或いは、前記資源の移転に必要な移転パスワード、検証コード、或いは、受信した動的情報の中の少なくとも一つによる検証を省略して、資源移転を行う流れが含まれる。
【００２１】
オプションとして、
前記装置は、
前記生理的特徴と、保存された前記移転アカウントの生理的特徴モデルとが一致しない場合、前記資源の移転に必要な移転パスワードによる検証が少なくとも含まれた、デフォルトの資源移転の流れに従って、前記資源を移転するための第２移転モジュール
をさらに備える。
【００２２】
本発明の実施例に係る第３の態様によると、資源移転装置を提供する。
【００２３】
前記装置は、
プロセッサと、
前記プロセッサが実行可能な命令を記憶するためのメモリと
を備え、
前記プロセッサは、
移転アカウントを用いて送信した、資源移転を要請するための資源移転要請を受信し、
前記移転アカウントとバインディングされたモバイルデバイスにより採集した生理的特徴を受信したか否かを検出し、
前記移転アカウントとバインディングされたモバイルデバイスにより採集した生理的特徴を受信したことが検出された場合、前記生理的特徴と保存された前記移転アカウントの生理的特徴モデルとが一致すると、前記資源を移転する
ように構成される。
【００２４】
本発明の実施例の第４の態様によると、プログラムを提供し、当該プログラムは、プロセッサに実行されることにより、上記の資源移転方法を実現する。
【００２５】
本発明の実施例の第５の態様によると、記録媒体を提供し、当該記録媒体には、上記プログラムが記録されている。
【発明の効果】
【００２６】
本発明の実施例が提供する構成の有益な効果は以下のとおりである。
【００２７】
移転アカウントによる移転資源の要請を受信した時に、受信した生理的特徴と移転アカウントの生理的特徴モデルとが一致することが検出された場合に、要請された資源を移転することにより、サーバにより受信した生理的特徴と生理的特徴モデルとが一致するか否かを判断して、一致するとそのまま資源を移転するため、資源を移転する過程にいろんなパスワードを用いて資源移転のセキュリティを保証することを起因とする、資源移転の流れが複雑になる問題を解決することにより、セキュリティを保証した同時に、資源移転の流れの複雑度を低下させる効果を得た。
【００２８】
以上の統括な記述と以下の細部記述は、ただ例示的なものであり、本発明を制限するものではないと、理解するべきである。
【図面の簡単な説明】
【００２９】
以下の図面は、明細書の一部分として明細書全体を構成することにより、本発明に合致する実施例を例示するとともに、本発明の原理を解釈するためのものである。
【図１】一部の例示的な実施例に係る資源移転方法に関する実施環境を示す模式図である。
【図２】例示的な一実施例に係る資源移転方法を示すフローチャートである。
【図３Ａ】例示的なもう一実施例に係る資源移転方法を示すフローチャートである。
【図３Ｂ】例示的な一実施例に係る移転アカウントとデバイス識別子とをバインディングする流れを示すフローチャートである。
【図３Ｃ】例示的な一実施例に係る生理的特徴モデルを確立して更新する流れを示すフローチャートである。
【図３Ｄ】例示的な一実施例に係る異常を提示する流れを示すフローチャートである。
【図４】例示的な一実施例に係る資源移転装置を示すブロック図である。
【図５】例示的なもう一実施例に係る資源移転装置を示すブロック図である。
【図６】例示的な一実施例に係る資源を移転するための装置を示すブロック図である。
【発明を実施するための形態】
【００３０】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００３１】
図１は、一部の例示的な実施例に係る資源移転方法に関する実施環境を示す模式図である。図１に示したように、当該実施環境には、少なくとも一つのモバイルデバイス１２０、サーバ１４０及び移転要請端末１６０が含まれる。
【００３２】
モバイルデバイス１２０には、一般的に、センサが設置されており、当該センサは、例えば、心拍数、血圧、腕振り振幅、指紋、顔部情報、等のようなユーザの生理的特徴を採集する。ここでのモバイルデバイス１２０は、一般的に、ユーザが、常に、携帯するか、或いは、着用するデバイスである。例えば、スマートブレスレット、スマートキーチェーン、スマートウォッチ、スマートネクタイピン、スマート指輪、等のようなユーザが着用できるデバイスである。それで、ユーザの生理的特徴を随時に採集できる。
【００３３】
移転要請端末１６０は、資源移転を要請するための電子デバイスであってもよい。当該電子デバイスは、資源移転機能を有するスマートフォン、タブレットＰＣ、スマートテレビ、電子ブックリーダー、マルチメディアプレーヤー、携帯型コンピュータ、デスクトップコンピューター、等であってもよい。
【００３４】
サーバ１４０は、有線ネットワーク、或は、無線ネットワークを介して、モバイルデバイス１２０及び移転要請端末１６０に、それぞれ、接続されてもよい。
【００３５】
サーバ１４０は、モバイルデバイス１２０によりリアルタイムに採集して送信する生理的特徴を受信し、また、移転要請端末１６０により送信する資源移転要請を受信して、生理的特徴に基づいて資源移転要請に対して処理を行う。ここでのサーバ１４０は、一つのサーバ、或いは、幾つかのサーバを組み合わせたサーバークラスタ、或いは、一つのクラウドコンピューティング・サービスセンターであってもよい。また、当該サーバ１４０は、バックグラウンド・サーバであってもよい。
【００３６】
これら情報に基づいて、移転要請端末１６０により移転を要請する資源が、移転パスワード、等の確認流れを避けて移転できるか否かを特定する。
【００３７】
図２は、例示的な一実施例に係る資源移転方法を示すフローチャートである。図２に示したように、当該資源移転方法は、図１に示された実施環境の中のサーバ１４０に適用される。当該方法は、以下のステップを含む。
【００３８】
ステップ２０１において、移転アカウントを用いて送信した、資源移転を要請するための資源移転要請を受信する。
【００３９】
ステップ２０２において、当該移転アカウントにバインディングされたモバイルデバイスにより採集した生理的特徴を受信したか否かを検出する。
【００４０】
ステップ２０３において、当該移転アカウントにバインディングされたモバイルデバイスにより採集した生理的特徴を受信したことが検出された場合、当該生理的特徴と、保存された当該移転アカウントの生理的特徴モデルとが一致すると、当該資源を移転する。
【００４１】
当該移転アカウントにバインディングされたモバイルデバイスにより採集した生理的特徴を受信したことが検出された場合、サーバは、当該生理的特徴と、保存された当該移転アカウントの生理的特徴モデムとの間の一致度を演算して、演算し得た一致度の値が所定の一致度閾値より大きいと、当該生理的特徴と保存された当該移転アカウントの生理的特徴モデルとが一致するとして特定する。
【００４２】
上記のように、本発明の実施例によって提供する資源移転方法によると、移転アカウントによる移転資源の要請を受信した時に、所定の時間帯内に受信した生理的特徴と移転アカウントの生理的特徴モデルとが一致することが検出されると、要請された資源を移転することにより、サーバにより受信した生理的特徴と生理的特徴モデルとが一致するか否かを判断して、一致するとそのまま資源を移転するため、資源を移転する過程にいろんなパスワードを用いて資源移転のセキュリティを保証することを起因とする、資源移転の流れが複雑になる問題を解決することにより、セキュリティを保証した同時に、資源移転の流れの複雑度を低下させる効果を得た。
【００４３】
図３Ａは、例示的なもう一実施例に係る資源移転方法を示すフローチャートである。図３Ａに示したように、当該資源移転方法は、図１に示された実施環境の中のサーバ１４０に適用される。当該方法は、以下のステップを含む。
【００４４】
ステップ３０１において、移転アカウントを用いて送信した、資源移転を要請するための資源移転要請を受信し、受信した資源移転要請の受信タイミングを特定する。
【００４５】
サーバは、移転アカウントを用いて送信した、資源移転を要請するための資源移転要請を受信した時に、当該資源移転要請が受信されたタイミングを記録してもよく、即ち、受信タイミングを記録してもよい。
【００４６】
オプションとして、資源移転要請の中には、移転アカウントが付加されている。
【００４７】
オプションとして、当該資源移転要請は、図１の実施環境の中の移転要請端末１６０により送信する。例えば、ユーザにより、当該移転アカウントを用いて当該移転要請端末１６０にログインした後に、ある資源の移転を要請する時に、当該移転要請端末１６０は、ユーザの制御に従ってサーバに当該資源移転要請を送信する。当該資源移転要請の中には、移転アカウント及び移転しようとする資源値が付加されている。一般的に、当該資源移転要請の中には、当該資源値に対応する資源が保存された第１資源ベースの識別子、及び、当該資源が移転される第２資源ベースの識別子が、さらに、含まれる。つまり、資源移転要請は、一般的に、移転アカウントによる、第１資源ベース中の指定された資源値を有する資源を第２資源ベース中に移転しようとする要請を指示する。
【００４８】
実際の適用において、資源移転要請の中に付加された情報は、実際の使用状況によって設定されてもよく、本実施例においては、資源移転要請の中に付加される情報に対して、具体的に、限定しない。
【００４９】
ステップ３０２において、当該受信タイミングが含まれた所定の時間帯内に、当該移転アカウントにバインディングされたモバイルデバイスにより採集した生理的特徴を受信到したか否かを検出する。
【００５０】
実際に実現する時には、モバイルデバイスには、センサが設置されてもよい。当該センサは、例えば、心拍数、血圧、腕振り振幅、指紋、顔部情報、体重情報、等を含むユーザの生理的特徴を採集するためのものであってもよい。例えば、あるセンサは、ユーザの心拍数を採集し、あるセンサは、ユーザの血圧を採集し、あるセンサは、ユーザが歩く時の腕振り振幅及び周波数等を採集してもよい。オプションとして、互いに異なるモバイルデバイスにより採集した生理的特徴は、互いに異なってもよい。オプションとして、一つのモバイルデバイスは、少なくとも１種の生理的特徴を採集してもよい。
【００５１】
オプションとして、モバイルデバイスは、生理的特徴を採集した後に、所定の時間間隔おきに、或いは、リアルタイムに、採集した生理的特徴をサーバに送信してもよい。これに対し、サーバは、モバイルデバイスにより採集した生理的特徴を受信してもよい。ここでの所定の時間間隔は、実際要求によって設定されてもよい。頻繁にサーバへ生理的特徴を送信して資源移転のセキュリティを保証及び改善することが要求された場合には、当該所定の時間間隔をより小さく設定してもよい。そして、サーバとモバイルデバイスとの間のネットワーク状態が良くない場合には、当該所定の時間間隔をより大きく設定してもよい。本発明においては、当該所定の時間間隔の具体的な値に対して、具体的に、限定しない。
【００５２】
サーバは、前記受信タイミングが含まれた所定の時間帯内で、前記移転アカウントとバインディングされたモバイルデバイスにより採集した生理的特徴を受信したか否かを検出する時には、以下のステップを実行してもよい。
【００５３】
第１、当該移転アカウントにバインディングされたモバイルデバイスのデバイス識別子を特定する。
【００５４】
サーバ中には、モバイルデバイスのデバイス識別子と移転アカウントとの間のバインディング関係が保存されてもよい。サーバは、移転アカウントを用いて送信した資源移転要請を受信した時に、保存されたバインディング関係に基づいて、当該移転アカウントにバインディングされたデバイス識別子を検索してもよい。
【００５５】
オプションとして、サーバは、さらに、他のデバイス、或いは、サーバから、保存されたモバイルデバイスのデバイス識別子と移転アカウントとの間のバインディング関係を取得して、移転アカウントにより送信した資源移転要請を受信した時に、取得したバインディング関係に基づいて、当該移転アカウントにバインディングされたデバイス識別子を検索してもよい。
【００５６】
オプションとして、サーバは、さらに、移転アカウントを用いて送信した資源移転要請を受信した時に、モバイルデバイスのデバイス識別子と移転アカウントとの間のバインディング関係が保存された他のデバイス、或いは、サーバに、検索要請を送信してもよい。当該検索要請は、当該移転アカウントにバインディングされたデバイス識別子を検索し、これらデバイス、或いは、サーバにより検索要請に基づいて検索したデバイス識別子を受信するための要請である。
【００５７】
サーバにより当該移転アカウントにバインディングされたモバイルデバイスのデバイス識別子を特定する方法は、以上の方法以外に、さらに、想像できる簡単な方法を含んでもよく、本実施例においては、これらに対して、具体的に限定しない。
【００５８】
第２、受信タイミングを指定されたタイミングとする所定の時間帯内に、モバイルデバイスのデバイス識別子と一緒に送信した生理的特徴を受信したか否かを検出する。ここで、指定されたタイミングは、所定の時間帯の開始タイミング、終了タイミング、或いは、中間タイミングである。
【００５９】
一ケースにおいて、サーバは、受信タイミングを開始タイミングとする所定の時間帯内に、モバイルデバイスのデバイス識別子と一緒に送信した生理的特徴を受信したか否かを検出してもよい。つまり、サーバは、資源移転要請を受信した後に、受信タイミングから所定の時間帯内に、モバイルデバイスのデバイス識別子と一緒に送信した生理的特徴を受信したか否かを検出してもよい。
【００６０】
或いは、もう一ケースにおいて、サーバは、受信タイミングを終了タイミングとする所定の時間帯内に、モバイルデバイスのデバイス識別子と一緒に送信した生理的特徴を受信したか否かを検出してもよい。
【００６１】
或いは、さらにもう一ケースにおいて、サーバは、受信タイミングを中間タイミングとする所定の時間帯内、モバイルデバイスのデバイス識別子と一緒に送信した生理的特徴を受信したか否かを検出してもよい。
【００６２】
当然ながら、当該受信タイミングが含まれた所定の時間帯であればよく、開始タイミング、終了タイミング、或は、中間タイミングを当該受信タイミングとすることに限定されない。もちろん、当該所定の時間帯は、終了タイミングが当該受信タイミングの前に位置する時間帯であってもよく、或いは、開始タイミングが当該受信タイミングの後に位置する時間帯であってもよい。受信タイミングと所定の時間帯との関係は、実際要求によって設定されてもよく、これは、本発明の保護範囲を限定しない。
【００６３】
一般的に、モバイルデバイスは、生理的特徴を採集した後に、当該生理的特徴をサーバに送信してもよい。生理的特徴をサーバに送信する時に、サーバが当該生理的特徴はどのモバイルデバイスにより送信したかを識別できるようにするために、モバイルデバイスは、生理的特徴を送信する同時に、さらに当該モバイルデバイスのデバイス識別子を一緒に送信してもよい。ここでのデバイス識別子は、モバイルデバイスを一意的に識別するためのものである。
【００６４】
ステップ３０３において、当該受信タイミングが含まれた所定の時間帯内に、当該移転アカウントにバインディングされたモバイルデバイスにより採集した生理的特徴を受信したことが検出された場合、当該生理的特徴と、保存された当該移転アカウントの生理的特徴モデルとが一致すると、当該資源を移転する。
【００６５】
当該受信タイミングが含まれた所定の時間帯内に、当該移転アカウントにバインディングされたモバイルデバイスにより採集した生理的特徴を受信したことが検出された場合、サーバは、当該生理的特徴と、保存された当該移転アカウントの生理的特徴モデムとの間の一致度を演算し、演算し得た一致度の値が所定の一致度閾値より大きいと、当該生理的特徴と保存された当該移転アカウントの生理的特徴モデルとが一致するとして特定する。
【００６６】
ここでの所定の一致度閾値は、実際状況によって設定されてもよく、本実施例においては、所定の一致度閾値の具体的な値に対して、具体的に限定しない。一般的に、所定の一致度閾値が大きいほど、演算し得た一致度値が所定の一致度閾値より大きいと、当該生理的特徴と保存された当該移転アカウントの生理的特徴モデルとがもっと一致することを意味する。
【００６７】
当該生理的特徴と保存された当該移転アカウントの生理的特徴モデルとが一致すると、一般的に、この時の資源移転のセキュリティがより高いことを意味し、資源移転のセキュリティに必要ないろんなパスワード（例えば、移転パスワード、検証パスワード、等）の入力を起因とする移転の複雑度を低下させるために、簡素化された資源移転の流れに従って、当該資源を移転してもよい。ここでの簡素化された資源移転の流れは、そのまま当該資源を移転する流れであるか、或いは、当該資源を移転する時に必要な移転パスワード、検証コード、或いは、受信した動的情報の中の少なくとも一つによる検証を省略して資源を移転する流れである。
【００６８】
つまり、資源移転の流れには、一般的に、移転パスワードによる検証、検証コードによる検証、或いは、受信した動的情報による検証、等が含まれるが、この時に、その中の一つ或は複数による検証を省略して、省略されなかった流れを実行して、資源移転を完成してもよい。例えば、資源移転の流れに、移転パスワードによる検証、及び、検証コードによる検証が含まれた場合、検証コードによる検証を省略すると、移転パスワードによる検証だけ実行して、検証できた後に、資源を移転してもよい。
【００６９】
ステップ３０４において、当該生理的特徴と保存された当該移転アカウントの生理的特徴モデルとが一致しないと、デフォルトの資源移転の流れに従って、当該資源を移転する。当該デフォルトの資源移転の流れには、当該資源の移転に必要な移転パスワードによる検証が、少なくとも含まれる。
【００７０】
サーバは、当該生理的特徴と、保存された当該移転アカウントの生理的特徴モデムとの間の一致度を演算し、演算し得た一致度値が所定の一致度閾値未満であると、当該生理的特徴と保存された当該移転アカウントの生理的特徴モデルとが一致しないとして特定する。
【００７１】
当該生理的特徴と保存された当該移転アカウントの生理的特徴モデルとが一致しないと、一般的に、この時の資源移転のセキュリティがあまり高くないことを意味し、例えば、不正なユーザが正当なユーザのモバイルデバイスを使用して資源移転を要請することを意味し、この時には、資源移転のセキュリティを保証するために、デフォルトの資源移転の流れに従って資源移転を実行してもよい。例えば、当該デフォルトの資源移転の流れには、当該資源の移転に必要な移転パスワードによる検証が、少なくとも、含まれる。
【００７２】
一般的に、実際の移転要求によって、デフォルトの資源移転の流れには、資源の移転に必要な検証パスワードによる検証、等が含まれる。
【００７３】
上記のように、本発明の実施例によって提供する資源移転方法によると、移転アカウントによる移転資源の要請を受信した時に、所定の時間帯内に受信した生理的特徴と移転アカウントの生理的特徴モデルとが一致することが検出されると、要請された資源を移転することにより、サーバにより受信した生理的特徴と生理的特徴モデルとが一致するか否かを判断して、一致するとそのまま資源を移転するため、資源を移転する過程にいろんなパスワードを用いて資源移転のセキュリティを保証することを起因とする、資源移転の流れが複雑になる問題を解決することにより、セキュリティを保証した同時に、資源移転の流れの複雑度を低下させる効果を得た。
【００７４】
本発明の実施例によって提供する資源移転方法によると、移転アカウントによる移転資源の要請を受信した時に、所定の時間帯内に受信した生理的特徴と移転アカウントの生理的特徴モデルとが一致しないことが検出されると、デフォルトの資源移転の流れに従って当該資源を移転することにより、デフォルトの資源移転の流れに資源の移転に必要な移転パスワードによる検証過程が含まれているため、移転アカウントを用いて資源を移転する時のセキュリティを保証できる。
【００７５】
図３Ａに示した実施例に基づいて、オプションとする一実現方法において、サーバは、資源移転を行う時に、まず、移転アカウントとユーザにより設定したモバイルデバイスのデバイス識別子とをバインディングして、移転アカウントと当該移転アカウントにバインディングされたデバイス識別子との間のバインディング関係を保存してもよい。図３Ｂは、例示的な一実施例に係る移転アカウントとデバイス識別子とをバインディングする流れのフローチャートである。この時、当該資源移転方法におけるバインディング過程は、以下のステップを含む。
【００７６】
ステップｂ１において、移転アカウントにモバイルデバイスをバインディングするための設定命令を受信する。
【００７７】
実際の適用において、ユーザは、自身が使用する移転アカウントに、どのモバイルデバイスをバインディングするかを選定してもよい。例えば、ユーザが使用する設定端末は、ユーザにより選択したモバイルデバイスのデバイス識別子を受信して、サーバに、当該ユーザがログインした移転アカウントにモバイルデバイスをバインディングするための設定命令を送信し、これに対し、サーバは、当該移転アカウントにモバイルデバイスをバインディングするための設定命令を受信する。
【００７８】
オプションとして、ユーザの移転アカウントにモバイルデバイスをバインディングしたことがない場合、サーバは、当該移転アカウントにバインディング推奨を送信して、ユーザにモバイルデバイスをバインディングできることを通知して、資源を移転する時の流れを短縮してもよい。
【００７９】
ステップｂ２において、設定命令の中の選定されたモバイルデバイスのデバイス識別子と当該移転アカウントとをバインディングする。
【００８０】
サーバは、移転アカウントにモバイルデバイスをバインディングするための設定命令を受信した後に、設定命令の中の選定されたモバイルデバイスのデバイス識別子と当該移転アカウントとをバインディングして、当該移転アカウントとデバイス識別子との間のバインディング関係を保存する。
【００８１】
オプションとして、ユーザの移転アカウントがバインディングされた後に、ユーザは、さらに、ある一つ或いは複数のモバイルデバイスと当該移転アカウントとの間のバインディング関係を解除してもよい。例えば、ユーザの移転アカウントにバインディングされたあるモバイルデバイスが紛失された時に、当該移転アカウントのセキュリティを確保するために、当該移転アカウントに対応する生理的特徴モデルの精度を保証するために、ユーザは、当該移転アカウントを用いてサーバにバインディング解除要請を送信してもよい。ここで、当該バインディング解除要請には、解除しようとするデバイス識別子が含まれる。これに対し、サーバは、移転アカウントを用いて送信したバインディング解除要請を受信した後に、当該移転アカウントと当該バインディング解除要請に付加されたデバイス識別子とのにバインディング関係を解除してもよく、また、当該バインディング解除要請に付加されたデバイス識別子を、当該移転アカウントとバインディングした履歴があるデバイス識別子として特定してもよい。
【００８２】
上記のように、本発明の実施例によって提供する資源移転方法によると、移転アカウントとデバイス識別子とをバインディングして保存することにより、移転アカウントを用いて送信した資源移転要請を受信した時に、バインディングされたデバイス識別子に対応する生理的特徴に基づいてそのまま資源を移転するか否かを特定できるため、資源を移転する時の検証の流れを簡素化した。
【００８３】
図３Ａに示した実施例に基づいて、オプションとする実現方法において、図３Ｃは、例示的な一実施例に係る生理的特徴モデルを確立して更新する流れを示すフローチャートである。この時、当該資源移転方法は、以下のステップを、さらに、含んでもよい。
【００８４】
ステップｃ１において、当該移転アカウントにバインディングされた少なくとも一つのモバイルデバイスにより採集した生理的特徴を受信する。
【００８５】
モバイルデバイスにより、サーバに生理的特徴を送信する時に、いつも、採集した生理的特徴及びモバイルデバイスのデバイス識別子を同時にサーバに送信するため、サーバは、まず、移転アカウントにバインディングされたモバイルデバイスのデバイス識別子を特定してから、これらデバイス識別子に基づいてこれらデバイス識別子と一緒に受信した生理的特徴を検索してもよい。即ち、当該移転アカウントにバインディングされた少なくとも一つのモバイルデバイスにより採集した生理的特徴を受信する。
【００８６】
ステップｃ２において、当該移転アカウントの生理的特徴モデルが保存されていない場合、受信した生理的特徴を用いて当該移転アカウントの生理的特徴モデルを確立する。
【００８７】
サーバは、当該移転アカウントのためにまだ生理的特徴モデルを確立したことがない場合、受信した生理的特徴を用いて当該移転アカウントの生理的特徴モデルを確立する。
【００８８】
ステップｃ３において、当該移転アカウントの生理的特徴モデルが保存されている場合、当該生理的特徴と当該生理的特徴モデルとが一致すると、受信した生理的特徴を用いて、当該移転アカウントの生理的特徴モデルを修正する。
【００８９】
サーバは、当該移転アカウントのために生理的特徴モデルを既に確立したことがある場合、生理的特徴モデルを用いて当該移転アカウントのユーザを識別する精度を高めるために、当該生理的特徴と当該生理的特徴モデルとが一致すると、受信した生理的特徴を用いて、当該移転アカウントの生理的特徴モデルを修正してもよい。
【００９０】
当該生理的特徴と当該生理的特徴モデルとが一致しない場合は、一般的に、当該生理的特徴を採集したモバイルデバイスに異常状況が発生したことを意味するため、この時は、当該移転アカウントの生理的特徴モデルに対する干渉を避けるために、当該受信した生理的特徴を用いて当該移転アカウントの生理的特徴モデルを修正しない。オプションとして、サーバは、これら異常状況を保存して、これら異常状況に基づいて、後期の当該移転アカウントに対応する資源移転を実施する時に、他の操作流れを選択してもよい。
【００９１】
上記のように、本発明の実施例によって提供する資源移転方法によると、受信した、当該移転アカウントにバインディングされた少なくとも一つのモバイルデバイスにより採集した生理的特徴を用いて、当該移転アカウントのために生理的特徴モデルを確立するか、或いは、当該移転アカウントの生理的特徴モデルが保存されており、且つ、当該生理的特徴と当該生理的特徴モデルとが一致すると、受信した生理的特徴を用いて当該移転アカウントの生理的特徴モデルを修正することにより、学習する過程において生理的特徴モデルを確立し、当該生理的特徴モデルを更新及び完善し続けるため、当該生理的特徴モデルを用いて当該移転アカウントに対応するユーザをもっと精度よく識別できて、資源移転のセキュリティをさらに高めた。
【００９２】
図３Ａに示した実施例に基づいて、オプションとする実現方法において、図３Ｄは、例示的な一実施例に係る異常提示の流れを示すフローチャートである。当該資源移転方法は、以下のステップをさらに含んでもよい。
【００９３】
ステップｄ１において、移転アカウントにバインディングされたモバイルデバイスにより送信した生理的特徴を受信する時に、異常提示条件に合致するか否かを検出する。
【００９４】
ここでの異常提示条件には、取得した生理的特徴と一緒に送信したデバイス識別子が、当該移転アカウントにバインディングされた履歴があり、且つ、現在には当該移転アカウントにバインディングされていないこと、或いは、所定の期間内に、当該移転アカウントとバインディングされたモバイルデバイスにより送信する生理的特徴を受信したことがないことが含まれる。
【００９５】
モバイルデバイスにより、サーバに生理的特徴を送信する時に、いつも、採集した生理的特徴及びモバイルデバイスのデバイス識別子を同時にサーバに送信するため、サーバは、生理的特徴を受信した時に、当該生理的特徴と一緒に送信したデバイス識別子を取得してもよい。当該移転アカウントにバインディングされたモバイルデバイスが紛失された後に、合法ユーザは、一般的に、当該モバイルデバイスと当該移転アカウントとのバインディング関係を解除することにより、当該モバイルデバイスにより採集した生理的特徴を用いて当該ユーザ移転アカウントの生理的特徴モデルを修正し続けることを避けて、生理的特徴モデルが不正確になってしまうことを避ける必要がある。このため、あるモバイルデバイスのデバイス識別子が、ある移転アカウントにバインディングされたことがあるが、この後に、当該移転アカウントとのバインディング関係が解除された場合、もし、当該モバイルデバイスにより送信した生理的特徴を受信すると、異常状況が発生したと認めて、即ち、異常提示条件に合致すると認めて、ユーザに異常提示を行う。
【００９６】
もう一ケースにおいて、所定の期間内に当該移転アカウントにバインディングされたモバイルデバイスにより送信する生理的特徴を受信したことがない場合は、一般的に、当該モバイルデバイスが長い期間にかけて接続されなかったこと、或いは、当該モバイルデバイスのシステムがリフレッシュされたこと（システムがリフレッシュされたモバイルデバイスのデバイス識別子もリフレッシュされるおそれがある）を意味するため、サーバは、当該モバイルデバイスが送信した生理的特徴を取得及び識別できない。このため、リアルタイムに生理的特徴モデルを修正することができなく、異常状況が発生したと認めて、即ち、異常提示条件に合致すると認めて、ユーザに異常提示を行う。
【００９７】
ステップｄ２において、異常提示条件が存在する場合、当該移転アカウントに異常提示情報を送信する。
【００９８】
オプションとして、サーバは、当該移転アカウントに異常提示情報を送信した後に、当該異常提示情報を保存し、また、保存タイミングを記録して、もし、保存タイミングから所定の期間が経過した後に、当該移転アカウントを用いて送信した資源移転要請を受信すると、デフォルトの資源移転の流れに従って、当該資源を移転してもよい。当該デフォルトの資源移転の流れには、当該資源の移転に必要な移転パスワードによる検証が少なくとも含まれ、これにより、資源移転のセキュリティを保証する。
【００９９】
オプションとして、当該移転アカウントに異常提示情報を送信した後に、もし、資源移転要請を受信すると、資源移転のセキュリティを保証するために、デフォルトの資源移転の流れに従って、移転要請の資源を移転してもよい。デフォルトの資源移転の流れには、資源の移転に必要な移転パスワードによる検証が少なくとも含まれる。
【０１００】
上記のように、本発明の実施例によって提供する資源移転方法によると、生理的特徴を受信した時に、当該生理的特徴と一緒に送信したデバイス識別子を取得し、当該デバイス識別子が当該移転アカウントにバインディングされた履歴があり、且つ、現在には当該移転アカウントにバインディングされていない場合には、当該移転アカウントに異常提示情報を送信することにより、異常状況をユーザにタイムリーに通知して、ユーザのエクスペリエンス及びセキュリティを改善した。
【０１０１】
本発明の実施例によって提供する資源移転方法によると、当該移転アカウントに異常状況を送信した後に、もし、所定の期間内に当該移転アカウントを用いて送信した資源移転要請を受信すると、デフォルトの資源移転の流れに従って当該資源を移転することにより、資源移転のセキュリティを保証した。
【０１０２】
上記の図３Ａを単独に実施することにより資源移転方法としてもよく、図３Ｂ、図３Ｃ及び図３Ｄの中の一つ、二つ、或は、全部を組み合わせて実施することにより資源移転方法としてもよいことを、補足説明する必要がある。
【０１０３】
以下は、本発明の装置の実施例であり、本発明の方法の実施例を実行することができる。本発明の装置の実施例において記述していない細部内容に対しては、本発明の方法の実施例を参照してもいい。
【０１０４】
図４は、例示的な一実施例に係る資源移転装置を示すブロック図である。図４に示したように、当該資源移転装置は、図１に示した実施環境中のサーバ１４０に適用される。当該資源移転装置は、第１受信モジュール４０２、第１検出モジュール４０４及び第１移転モジュール４０６を備えるが、これらに限定されない。
【０１０５】
当該第１受信モジュール４０２は、移転アカウントを用いて送信した、資源移転を要請するための資源移転要請を受信する。
【０１０６】
当該第１検出モジュール４０４は、当該移転アカウントにバインディングされたモバイルデバイスにより採集した生理的特徴を受信したか否かを検出する。
【０１０７】
当該第１移転モジュール４０６は、第１検出モジュール４０４により当該移転アカウントにバインディングされたモバイルデバイスにより採集した生理的特徴を受信したことが検出された場合、当該生理的特徴と、保存された当該移転アカウントの生理的特徴モデルとが一致すると、当該資源を移転する。
【０１０８】
上記のように、本発明に係る実施例によって提供する資源移転装置によると、移転アカウントによる移転資源の要請を受信した時に、所定の時間帯内に受信した生理的特徴と移転アカウントの生理的特徴モデルとが一致することが検出されると、要請された資源を移転することにより、サーバにより受信した生理的特徴と生理的特徴モデルとが一致するか否かを判断して、一致するとそのまま資源を移転するため、資源を移転する過程にいろんなパスワードを用いて資源移転のセキュリティを保証することを起因とする、資源移転の流れが複雑になる問題を解決することにより、セキュリティを保証したと同時に、資源移転の流れの複雑度を低下させる効果を得た。
【０１０９】
図５は、例示的なもう一実施例に係る資源移転装置を示すブロック図である。図５に示したように、当該資源移転装置は、図１に示した実施環境中のサーバ１４０に適用される。当該資源移転装置は、第１受信モジュール５０２、第１検出モジュール５０４及び第１移転モジュール５０６を備えるが、これらに限定されない。
【０１１０】
当該第１受信モジュール５０２は、移転アカウントを用いて送信した、資源移転を要請するための資源移転要請を受信する。
【０１１１】
当該第１検出モジュール５０４は、当該移転アカウントにバインディングされたモバイルデバイスにより採集した生理的特徴を受信したか否かを検出する。
【０１１２】
当該第１移転モジュール５０６は、第１検出モジュール５０４により当該移転アカウントにバインディングされたモバイルデバイスにより採集した生理的特徴を受信したことが検出された場合、当該生理的特徴と、保存された当該移転アカウントの生理的特徴モデルとが一致すると、当該資源を移転する。
【０１１３】
オプションとする実現方法において、当該第１検出モジュール５０４は、特定サブモジュール５０４ａ及び検出サブモジュール５０４ｂを備えてもよい。
【０１１４】
特定サブモジュール５０４ａは、当該資源移転要請を受信した受信タイミングを特定する。
【０１１５】
検出サブモジュール５０４ｂは、当該特定サブモジュール５０４ａにより特定された当該受信タイミングが含まれた所定の時間帯内に、当該移転アカウントにバインディングされたモバイルデバイスにより採集した生理的特徴を受信したか否かを検出する。
【０１１６】
オプションとする実現方法において、当該資源移転装置は、第２受信モジュール５０８及びバインディングモジュール５１０をさらに備えてもよい。
【０１１７】
第２受信モジュール５０８は、当該移転アカウントにモバイルデバイスをバインディングするための設定命令を受信する。
【０１１８】
バインディングモジュール５１０は、第２受信モジュール５０８受信した設定命令中の選定されたモバイルデバイスのデバイス識別子と当該移転アカウントとをバインディングする。
【０１１９】
オプションとする実現方法において、当該資源移転装置は、確立モジュール５１４及び修正モジュール５１６をさらに備えてもよい。
【０１２０】
確立モジュール５１４は、当該移転アカウントの生理的特徴モデルが保存されていない場合、受信した生理的特徴を用いて当該移転アカウントの生理的特徴モデルを確立する。
【０１２１】
修正モジュール５１６は、当該移転アカウントの生理的特徴モデルが保存されている場合、当該生理的特徴と当該生理的特徴モデルとが一致すると、受信した当該生理的特徴を用いて、当該移転アカウントの生理的特徴モデルを修正する。
【０１２２】
オプションとする実現方法において、当該資源移転装置は、第２検出モジュール５１８及び送信モジュール５２０をさらに備えてもよい。
【０１２３】
第２検出モジュール５１８は、当該移転アカウントにバインディングされたモバイルデバイスにより送信した生理的特徴を受信する時に、異常提示条件に合致するか否かを検出する。当該異常提示条件には、取得した当該生理的特徴と一緒に送信したデバイス識別子が当該移転アカウントにバインディングされた履歴があり、且つ、現在には当該移転アカウントにバインディングされていないこと、或いは、所定の期間内に、当該移転アカウントとバインディングされたモバイルデバイスにより送信する生理的特徴を受信したことがないことが含まれる。
【０１２４】
送信モジュール５２０は、当該第２検出モジュール５１８により当該異常提示条件が存在することが検出された場合、当該移転アカウントに異常提示情報を送信する。
【０１２５】
オプションとする実現方法において、当該第１移転モジュール５０６は、さらに、簡素化された資源移転の流れに従って、当該資源を移転する。簡素化された資源移転の流れは、そのまま当該資源を移転を行う流れ、或いは、当該資源の移転に必要な移転パスワード、検証コード、或いは、受信した動的情報の中の少なくとも一つによる検証資源を省略して移転を行う流れである。
【０１２６】
オプションとする実現方法において、当該資源移転装置は、第２移転モジュール５２２をさらに備えてもよい。
【０１２７】
第２移転モジュール５２２は、当該生理的特徴と保存された当該移転アカウントの生理的特徴モデルとが一致しない場合、デフォルトの資源移転の流れに従って、当該資源を移転する。当該デフォルトの資源移転の流れには、当該資源の移転に必要な移転パスワードによる検証が少なくとも含まれる。
【０１２８】
上記のように、本発明に係る実施例によって提供する資源移転装置によると、移転アカウントによる移転資源の要請を受信した時に、所定の時間帯内に受信した生理的特徴と移転アカウントの生理的特徴モデルとが一致することが検出されると、要請された資源を移転することにより、サーバにより受信した生理的特徴と生理的特徴モデルとが一致するか否かを判断して、一致するとそのまま資源を移転するため、資源を移転する過程にいろんなパスワードを用いて資源移転のセキュリティを保証することを起因とする、資源移転の流れが複雑になる問題を解決することにより、セキュリティを保証したと同時に、資源移転の流れの複雑度を低下させる効果を得た。
【０１２９】
本発明に係る実施例によって提供する資源移転装置によると、移転アカウントによる移転資源の要請を受信した時に、所定の時間帯内に受信した生理的特徴と移転アカウントの生理的特徴モデルとが一致しないことが検出されると、デフォルトの資源移転の流れに従って当該資源を移転することにより、デフォルトの資源移転の流れに資源の移転に必要な移転パスワードによる検証過程が含まれているため、移転アカウントを用いて資源を移転する時のセキュリティを保証できる。
【０１３０】
本発明に係る実施例によって提供する資源移転装置によると、移転アカウントとデバイス識別子とをバインディングして保存することにより、移転アカウントを用いて送信した資源移転要請を受信した時に、バインディングされたデバイス識別子に対応する生理的特徴に基づいてそのまま資源を移転するか否かを特定できるため、資源を移転する時の検証の流れを簡素化した。
【０１３１】
本発明に係る実施例によって提供する資源移転装置によると、受信した、当該移転アカウントにバインディングされた少なくとも一つのモバイルデバイスにより採集した生理的特徴を用いて、当該移転アカウントのために生理的特徴モデルを確立するか、或いは、当該移転アカウントの生理的特徴モデルが保存されており、且つ、当該生理的特徴と当該生理的特徴モデルとが一致すると、受信した生理的特徴を用いて当該移転アカウントの生理的特徴モデルを修正することにより、学習する過程において生理的特徴モデルを確立し、当該生理的特徴モデルを更新及び完善し続けるため、当該生理的特徴モデルを用いて当該移転アカウントに対応するユーザをもっと精度よく識別できて、資源移転のセキュリティをさらに高めた。
【０１３２】
本発明に係る実施例によって提供する資源移転装置によると、生理的特徴を受信した時に、当該生理的特徴と一緒に送信したデバイス識別子を取得し、当該デバイス識別子が当該移転アカウントにバインディングされた履歴があり、且つ、現在には当該移転アカウントにバインディングされていない場合には、当該移転アカウントに異常提示情報を送信することにより、異常状況をユーザにタイムリーに通知して、ユーザのエクスペリエンス及びセキュリティを改善した。
【０１３３】
上記の実施例の装置について、その各モジュールが実行する操作の具体的な形態は既に当該方法に関する実施例において詳細に説明したため、ここでは詳細に説明しない。
【０１３４】
本発明に係る例示的な一実施例によると資源移転装置を提供する。当該装置は、本発明によって提供する資源移転方法を実現でき、図１に示した実施環境中のサーバ１４０に適用される。
【０１３５】
当該資源移転装置は、プロセッサと、前記プロセッサが実行可能な命令を記憶するためのメモリとを備え、前記プロセッサは、移転アカウントを用いて送信した、資源移転を要請するための資源移転要請を受信し、前記移転アカウントとバインディングされたモバイルデバイスにより採集した生理的特徴を受信したか否かを検出し、前記移転アカウントとバインディングされたモバイルデバイスにより採集した生理的特徴を受信したことが検出された場合、前記生理的特徴と保存された前記移転アカウントの生理的特徴モデルとが一致すると、前記資源を移転するように構成される。
【０１３６】
図６は、例示的な一実施例に係る資源を移転するための装置を示すブロック図である。例えば、装置６００をサーバとして提供してもよい。図６を参照すると、装置６００は、プロセスアセンブリ６０２を備える。当該プロセスアセンブリ６０２は、一つ以上のプロセッサ、及びメモリ６０４を代表とするメモリリソースを、さらに備える。当該メモリリソースは、プロセスアセンブリ６０２によって実行される、例えばアプリケーションプログラムのような命令を保存する。メモリ６０４中に保存されたアプリケーションプログラムには、それぞれ一つの命令のセットに対応する一つ以上のモジュールを含まれてもよい。なお、プロセスアセンブリ６０２は、命令を実行することにより、上記の資源移転方法を実行する。
【０１３７】
装置６００は、装置６００の電源を管理するための一つの電源アセンブリ６０６、装置６００をネットワークに接続させるための一つの有線又は無線のネットワークインターフェイス６０８、及び、一つの入出力インターフェイス６１０を備えてもよい。装置６００は、メモリ６０４に保存された、例えば、Ｗｉｎｄｏｗｓ  ＳｅｒｖｅｒＴＭ、Ｍａｃ  ＯＳ  ＸＴＭ、ＵｎｉｘＴＭ，  ＬｉｎｕｘＴＭ、ＦｒｅｅＢＳＤＴＭのようなオペレーティング・システムによって、操作を行うことができる。
【０１３８】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０１３９】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【国際調査報告】
2017506401.tif 000012
2017506401.tif 000013
2017506401.tif 000014
2017506401.tif 000015